(57)【要約】【課題】生産物の購入希望条件と生産事情を考慮し、購入者が希望する生産物を安心して購入でき、生産物の出来が要求より劣っても、売買取引の仲介が可能で、各購入者にとって最適品となるか否かの判別を容易に行うことができる情報表示を仲介する情報処理装置を提供する。【解決手段】  購入者端末と生産者生産者端末と通信ネットワークを介して接続し、生産者情報受付手段と、生産者情報記憶手段と、購入希望情報受付手段と、購入希望情報記憶手段と、生産可否問合せ手段とを有し、さらに、購入条件の遵守レベルを視覚によって容易に識別でき情報を出力する手段を有する情報処理装置。【選択図】図１
2007164445.tif 000002
【特許請求の範囲】
【請求項１】
購入者が利用する購入者端末と生産者が利用する生産者端末とに通信ネットワークを介してそれぞれ接続され、購入者が希望する生産品の取引を支援する情報処理装置であって、
少なくとも生産可能な生産品名を含む生産品情報と前記生産者を特定する生産者識別情報とを前記生産者端末から予め受信する生産者情報受付手段と、
前記受け付けた生産品情報と前記生産者識別情報とを関連付けて記憶する生産者情報記憶手段と、
少なくとも生産品名とその生産条件情報を含む購入希望情報と、前記購入者を特定する購入者識別情報とを前記購入者端末から受信し、当該購入希望情報の受信処理の後に生産の依頼を特定する依頼識別情報を発行する購入希望情報受付手段と、
前記受信した購入希望情報と前記購入者識別情報とを前記依頼識別情報に関連付けて記憶する購入希望情報記憶手段と、
前記受信した購入希望情報を元に前記生産者情報記憶手段を参照し、前記生産品名に基づいて該当する生産者を特定し、当該特定した生産者が所有する生産者端末に対して前記購入希望情報を送信して生産の可否を問い合わせる生産可否問合せ手段と、
前記購入希望情報の送信に応じて生産条件の変更を含む生産品の生産予定情報と生産者識別情報を前記依頼識別情報と共に前記生産者端末から受信し、前記購入希望情報記憶手段を参照して前記依頼識別情報に基づき購入者を特定し、当該生産予定情報と生産者識別情報とを前記購入者端末へ送信して当該生産予定情報に基づく条件で生産を依頼するか否か問い合わせる生産依頼問合せ手段と、を有することを特徴とする情報処理装置。
【請求項２】
前記生産依頼問合せ手段で受信した前記生産予定情報と前記生産者識別情報とを、前記購入者識別情報及び前記依頼識別情報と関連付けて記憶する生産予定情報記憶手段と、
前記生産依頼問合せ手段による前記生産予定情報と前記生産者識別情報の前記購入者端末への送信に応じて、前記生産物の生産を依頼する生産者の生産者識別情報を伴う発注情報を前記購入者端末から受信し、当該発注情報の受信の後に取引を特定する取引識別情報を発行すると共に、当該取引識別情報や前記生産予定情報を含む取引成立情報を前記生産者端末へ送信して前記生産品の生産を依頼する生産依頼手段と、
前記生産依頼手段で受け付けた生産者識別情報に基づいて前記生産予定情報記憶手段より抽出した生産予定情報、生産者識別情報、及び購入者識別情報と、前記生産依頼手段で発行された取引識別情報とを関連付けて記憶する取引情報記憶手段と、
前記生産品の生産中に生産予定の変更情報を含む生産進捗状況を報告する生産進捗情報を前記取引識別情報と共に前記生産者端末から受け付ける生産進捗情報受付手段と、
前記受け付けた生産進捗情報と前記取引識別情報とを、前記取引情報記憶手段を参照して前記購入者端末へ送信して生産品の進捗状況を報告する進捗状況報告手段と、
をさらに有することを特徴とする請求項１に記載の情報処理装置。
【請求項３】
前記取引成立情報を生産者端末に送信後、前記取引情報記憶手段を参照して予め設定したタイミングで生産進捗状況を前記生産者端末に対して問い合わせる生産進捗状況問合せ情報を送信する生産進捗状況問合せ手段をさらに有することを特徴とする請求項２に記載の情報処理装置。
【請求項４】
前記生産進捗情報受付手段が受信した生産進捗情報と前記取引識別情報とを関連付けて記憶する生産進捗情報記憶手段と、
前記生産予定情報に示される項目ごとに遵守状況を判定する判定基準情報を予め記憶する判定基準情報記憶手段と、
前記生産進捗情報と、当該生産進捗情報と共に前記生産進捗情報記憶手段に記憶した取引識別情報に基づいて前記取引情報記憶手段より抽出した生産予定情報とを比較演算し、前記判定基準情報記憶手段を参照して品質レベルを判定する品質レベル判定手段と、
前記品質レベル判定手段で判定された品質レベル情報を含む生産進捗情報を商品情報として、前記取引識別情報に基づいて前記取引情報記憶手段より抽出した生産者識別情報によって特定される当該生産者端末へ送信する商品情報報告手段と、
をさらに有することを特徴とする請求項２または３に記載の情報処理装置。
【請求項５】
生産者が利用する生産者端末と通信ネットワークを介して接続され、購入者が購入する生産品の安全性判定処理を支援する情報処理装置であって、
少なくとも生産可能な生産品名を含む生産品情報と前記生産者を特定する生産者識別情報とを前記生産者端末から予め受信する生産者情報受付手段と、前記受信した生産品情報と前記生産者識別情報とを関連付けて記憶する生産者情報記憶手段と、
前記取引情報記憶手段を参照して所定の時期に生産進捗状況を前記生産者端末に対して問い合わせる生産進捗状況問合せ情報を送信する生産進捗状況問合せ手段と、
前記生産進捗情報受付手段が受信した生産進捗情報と前記取引識別情報とを関連付けて記憶する生産進捗情報記憶手段と、
前記生産予定情報に示される項目ごとに遵守状況を判定する判定基準情報を予め記憶する判定基準情報記憶手段と、
前記生産進捗情報受付手段が受信した生産進捗情報と、当該生産進捗情報と共に前記生産進捗情報記憶手段に記憶した取引識別情報に基づいて前記取引情報記憶手段より抽出した生産予定情報とを比較し、前記判定基準情報記憶手段を参照して品質レベルを判定する品質レベル判定手段と、
前記品質レベル判定手段で判定された品質レベル情報を含む生産進捗情報を商品情報として、前記取引識別情報に基づいて前記取引情報記憶手段より抽出した生産者識別情報によって特定される当該生産者端末へ報告する商品情報報告手段と、
をさらに有することを特徴とする情報処理装置。
【請求項６】
前記判定基準情報記憶手段は、前記生産予定情報に示される各項目の遵守されている項目と遵守されていない項目の組み合わせによって品質レベルを決定する判定基準情報を予め記憶するものであり、
前記品質レベル判定手段は、前記生産進捗情報に示される項目ごとに前記生産予定情報に示される項目と比較して遵守状況を判定し、全ての項目について遵守状況の判定が完了した後、前記判定基準情報記憶手段を参照して品質レベルの判定を行なうものであることを特徴とする請求項４または５に記載の情報処理装置。
【請求項７】
前記品質レベルごとに実施する所定の行為情報の設定を予め受け付ける品質レベル行為設定情報受付手段と、
前記受け付けた品質レベル行為設定情報を記憶する品質レベル行為情報記憶手段と、
前記品質レベル判定手段で判定された品質レベルに基づいて前記品質レベル行為情報記憶手段を参照し、該当する品質レベルに対して設定された所定の行為を実施する品質レベル行為実施手段と、
をさらに有することを特徴とする請求項４乃至６のいずれかに記載の情報処理装置。
【請求項８】
前記品質レベル行為実施手段で実施された行為情報と前記取引識別情報と関連付けて記憶する商品情報記憶手段と、
前記品質レベルの判定の結果、前記商品情報記憶手段に取引中止を示す発注取消情報が記憶される場合に、当該商品情報記憶手段を検索して前記同様の発注取消情報が記憶された取引の取引識別情報を抽出し、当該抽出した取引識別情報に基づいて前記取引情報記憶手段に記憶された生産予定情報と、前記生産進捗情報記憶手段に記憶された生産進捗情報とを参照し、前記品質レベル判定手段によって当該生産予定情報と生産進捗情報とを比較して身代わり生産者または身代わり購入者を選択する代替者選択手段と、
をさらに有することを特徴とする請求項７に記載の情報処理装置。
【請求項９】
購入者が利用する購入者端末と生産者が利用する生産者端末と、購入者が希望する生産品の取引を支援する情報処理装置とに通信ネットワークを介してそれぞれ接続され、生産品の品質を評価する評価処理端末であって、
情報処理装置が送信する生産予定情報に示される項目毎に遵守状況を判定する判定基準情報を予め記憶する判定基準情報記憶手段と、
情報処理装置が送信する生産進捗情報と、上記生産進捗情報記憶手段に記憶した取引識別情報に基づいて、取引情報を情報処理装置に送信要求する手段と、
情報処理装置の取引情報記憶手段より抽出した生産予定情報を受信して、上記生産進捗情報と比較し、前記判定基準情報記憶手段を参照して品質レベルを判定する品質レベル判定手段と、
前記品質レベル判定手段で判定された品質レベル情報を含む生産進捗情報を商品情報として、前記取引識別情報に基づいて前記取引情報記憶手段より抽出した生産者識別情報によって特定される生産者端末へ送信する商品情報報告手段とを有することを特徴とする評価処理端末。
【発明の詳細な説明】
【技術分野】
【０００１】
本発明は、消費者或いは生産委託希望者や収穫委託希望者といった購入者と生産者、収穫者（以下「生産者等」という）との間で、購入者の生産物や収穫物（以下「生産物等」という）に対する購入希望条件と生産者等の生産事情を考慮しながら生産物等の取引を仲介するようにした情報処理装置に関するものである。
【背景技術】
【０００２】
近年、生産物等の安全性や品質に対する消費者の関心が高まる中で、購入者の生産物等に対する購入希望の条件が多様化している。たとえば、野菜や果物等の農産物の場合であれば、生産地や生産者等、収穫時期による違いは勿論のこと、農薬使用の有無によっても品質が大きく異なることから、生産物等の購入条件として、購入者の希望する生産地や生産者等、または購入者の希望する時期に収穫した生産物等、農薬を使用しない無農薬栽培もしくは有機栽培された生産物、中間業者が全く入らない生産者等直結の生産物、等が求められる傾向にある。したがって、購入者としては、品質の良い安全な商品を手軽に安心して購入できることが肝要であり、生産者等から消費者に渡るまでの生産から加工に関する全てのトレーサビリティを知ることが必要である。
ところが購入者は、その生産物が、何処で、誰によって、どのようにして生産されたのかを詳細に知ることが容易にできず、自分が購入する生産物等の生産状況、加工過程を確かめたい場合、適当な時期にわざわざ生産する場所へ行って確認してみなければ、生産物等を安心して購入することができないという問題があった。
【０００３】
また、生産者等としては、購入者が安心できる安全性や品質を保証することにより、他の生産者等の商品との差別化を図ることができるが、天候不良や育成不良によって、収穫量が不足することや、出荷時期が大幅に前後するといった生産条件が変更されることは十分起こり得ることであり、このような理由によって購入がキャンセルされる場合がある。
【０００４】
そこで、生産された商品を一意に特定する識別符号を当該商品に付し、流通の各段階において前記商品に付されている識別符号を読み取り、ＶＡＮ（付加価値通信網）に登録されている情報と合致することを確かめることで、真正商品であることを確認し、偽物商品を商品流通段階で早期に発見するようにしたシステムが提案されている（特許文献１参照）。
また、栽培地の選定から消費者に至るまでの各段階における作物の安全基準データを予め規定しておき、ロットごとに、安全に関する測定を行ってその結果が前記安全基準データに適合しない場合は、流通の次の段階に進めないようにしたシステムも提案されている（特許文献２参照）。
また、農業に関する生産情報をデータベースに蓄え、リアルタイムに作物の状態を把握することが出来るようにしたシステムも提案されている（特許文献３参照）。
さらに、生産地に設置するコード発行要求装置にＧＰＳ機能を搭載し、この装置が発行する生産地保証コードに位置情報、発行時間を含ませることで産地偽装を防ぐことが出来るようにしたシステムも提案されている（特許文献４参照）。
【０００５】
しかしながら、何れのシステムの場合も、安全性を識別するための情報を開示するようにしているが、情報の開示だけで購入者の希望する生産品を入手できるとは言い難い。
また、生産前に生産予定を提示して販売契約を結ぶ場合もあるが、その契約後に天候または育成不良等の理由により、契約条件通りに出荷できない（されない）こともある。このような種々の理由による生産物等の出荷状態の変更は当然に起こり得るものであって、契約が成立した後での上記事情に基づく出荷情報の変更は、些細な変更であれば致し方ないものであるが、重大な変更があればその取引の信用性を著しく損なうことにもつながりかねないため、逐次変更状況を確認すようにしなければならないが、今のところそのための策は何ら提案されていない。
【０００６】
また、生産物等の安全性については国や地方公共団体、業界団体などの公的機関が定める規格や品質表示基準に適合する旨を当該品の包装などに表示して購入者等に当該生産物の安全性をアピールしている。購入者はこの表示の有無によって当該生産物の品質を判断し購買判断に役立てている。しかし、上記の表示に用いる規格や基準の適合検査に用いられる検査項目は多種多様であり、この検査項目の詳細について精通し、理解した上で表示が付された当該生産物の安全性を判断できる購入者は少ない。さらに、上記の表示によって一定基準内における安全性は確保されていることが判断できでも、それが購入者自身の嗜好にとって最適であるか否かを判断は困難である。
【特許文献１】特開平７−１７５８６９号公報
【特許文献２】特開２００４−３１０３７４号公報
【特許文献３】特開２００５−３８０１９号公報
【特許文献４】特開２００５−１０７７９９号公報
【発明の開示】
【発明が解決しようとする課題】
【０００７】
本発明は、上記事情に鑑みて成されたものであり、購入者の生産物等に対する購入希望条件と生産者等の生産事情を考慮しながら、購入者が所望の生産物等を安心して購入できるようにすると共に、生産物等の出来が購入者の要求より劣ってしまったりしても、ちゃんと生産物が売買されるように取引を仲介するようにした情報処理装置を提供することを目的とする。
【０００８】
また、本発明は、購入者が生産物等の指定に際し、単数又は複数の公的機関、第三者機関が定める規格制度に合致していることを購入希望条件とすることができるよう情報表示を仲介する情報処理装置を提供することを目的とする。さらに本発明は、上記情報表示が各購入者にとって最適品となるか否かの判別を容易に行うことができるように情報表示を仲介する情報処理装置を提供することを目的とする。
【課題を解決するための手段】
【０００９】
本願発明の情報処理装置は、購入者が利用する購入者端末と生産者生産者等が利用する生産者生産者端末のそれぞれと通信ネットワークを介して接続されるものであり、少なくとも生産可能な生産品名を含む生産品情報と前記生産者等を特定する生産者識別情報とを前記生産者端末から予め受け付ける生産者情報受付手段と、前記受け付けた生産品情報と前記生産者識別情報とを関連付けて記憶する生産者情報記憶手段と、少なくとも生産品名とその生産条件情報を含む購入希望情報と前記購入者等を特定する購入者識別情報とを前記購入者端末から受け付け、当該購入希望情報の受け付けに伴って生産の依頼を特定する依頼識別情報を発行する購入希望情報受付手段と、前記受け付けた購入希望情報と前記購入者識別情報とを前記依頼識別情報と関連付けて記憶する購入希望情報記憶手段と、前記購入希望情報の受け付けに応じて前記生産者情報記憶手段を参照し、前記生産品名に基づいて該当する生産者等を選択し、当該生産者等の生産者端末に対して前記購入希望情報を送信して生産の可否を問い合わせる生産可否問合せ手段とを有し、さらに、本願発明の情報処理装置は、前記購入希望情報の送信に応じて生産条件の変更を含む生産品の生産予定情報と生産者識別情報を前記依頼識別情報と共に前記生産者端末から受け付け、前記購入希望情報記憶手段を参照して前記依頼識別情報に基づき購入者を特定し、当該生産予定情報と生産者識別情報とを前記購入者端末へ送信して当該生産予定情報に基づく条件で生産を依頼するか否か問い合わせる生産依頼問合せ手段をさらに有することを特徴とする。
【００１０】
また、本願発明は、前記情報処理装置に加えて、前記生産依頼問合せ手段で受け付けた前記生産予定情報と前記生産者識別情報とを、前記購入者識別情報及び前記依頼識別情報と関連付けて記憶する生産予定情報記憶手段と、前記生産依頼問合せ手段による前記生産予定情報と前記生産者識別情報の前記購入者端末への送信に応じて、前記生産物等の生産を依頼する生産者等の生産者識別情報を伴う発注情報を前記購入者端末から受け付け、当該発注情報の受け付けに伴って取引を特定する取引識別情報を発行すると共に、当該取引識別情報や前記生産予定情報を含む取引成立情報を前記生産者端末へ送信して前記生産品の生産を依頼する生産依頼手段と、前記生産依頼手段で受け付けた生産者識別情報に基づいて前記生産予定情報記憶手段より抽出した生産予定情報、生産者識別情報、及び購入者識別情報と、前記生産依頼手段で発行された取引識別情報とを関連付けて記憶する取引情報記憶手段と、前記生産品の生産中に生産予定の変更情報を含む生産進捗状況を報告する生産進捗情報を前記取引識別情報と共に前記生産者端末から受け付ける生産進捗情報受付手段と、前記受け付けた生産進捗情報と前記取引識別情報とを、前記取引情報記憶手段を参照して前記購入者端末へ送信して生産品の進捗状況を報告する進捗状況報告手段と、をさらに有するものとしても良い。
【００１１】
また、本願発明は、前記取引情報記憶手段を参照して所定の時期に生産進捗状況を前記生産者端末に対して問い合わせる生産進捗状況問合せ情報を送信する生産進捗状況問合せ手段をさらに有し、前記生産進捗情報は、前記生産依頼手段による取引成立情報の送付後、前記生産進捗状況問合せ手段からの問合せによって前記生産者端末から受け付けるものとしても良い。
【００１２】
また、本願発明は、前記生産進捗情報受付手段を有する情報処理装置に加えて、前記生産進捗情報受付手段で受け付けた生産進捗情報と前記取引識別情報とを関連付けて記憶する生産進捗情報記憶手段と、前記生産予定情報に示される項目ごとに遵守状況を判定する判定基準情報を予め記憶する判定基準情報記憶手段と、前記生産進捗情報受付手段で受け付けた生産進捗情報と、当該生産進捗情報と共に前記生産進捗情報記憶手段に記憶した取引識別情報に基づいて前記取引情報記憶手段より抽出した生産予定情報とを比較し、前記判定基準情報記憶手段を参照して品質レベルを判定する品質レベル判定手段と、前記品質レベル判定手段で判定された品質レベル情報を含む生産進捗情報を商品情報として、前記取引識別情報に基づいて前記取引情報記憶手段より抽出した生産者識別情報によって特定される当該生産者端末へ報告する商品情報報告手段と、をさらに有するものとしても良い。
【００１３】
本願発明の情報処理装置は、購入者が利用する購入者端末と生産者等が利用する生産者端末、流通業者が利用する流通業者端末、加工業者が使用する加工業者端末のそれぞれと通信ネットワークを介して接続されるものであり、少なくとも生産可能な生産品名を含む生産品情報と前記生産者等を特定する生産者識別情報とを前記生産者端末から予め受け付ける生産者情報受付手段と、前記生産品名を含む流通条件情報と前記流通業者を特定する流通業者識別情報とを前記流通業者端末から予め受付ける流通業者情報受付手段と、少なくとも加工可能な生産品名を含む生産品情報と前記加工業者を特定する加工業者識別情報とを前記加工業者用端末から予め受ける加工業者情報受付手段と、前記受け付けた生産品情報と前記生産者識別情報とを関連付けて記憶する生産者情報記憶手段と、前記受け付けた生産品情報と前記流通業者識別情報とを関連付けて記憶する流通業者情報記憶手段と、前記受け付けた生産品情報と前記加工業者識別情報とを関連付けて記憶する加工業者情報記憶手段と、少なくとも生産品名とその生産条件情報、流通条件情報、加工条件情報を含む購入希望情報と前記購入者を特定する購入者識別情報とを前記購入者端末から受け付け、当該購入希望情報の受け付けに伴って生産の依頼、流通の依頼、加工の依頼を特定する依頼識別情報を発行する購入希望情報受付手段と、前記受け付けた購入希望情報と前記購入者識別情報とを前記依頼識別情報と関連付けて記憶する購入希望情報記憶手段と、前記購入希望情報の受け付けに応じて前記生産者情報記憶手段を参照し、前記生産品名に基づいて該当する生産者等を選択し、当該生産者等の生産者端末に対して前記購入希望情報を送信して生産の可否を問い合わせる生産可否問合せ手段と、前記購入希望情報の受け付けに応じて前記流通業者情報記憶手段を参照し、前記生産品名に基づいて該当する流通業者を選択し、当該流通業者の流通業者端末に対して前記購入希望情報を送信して流通の可否を問い合わせる流通可否問合せ手段と、前記購入希望情報の受け付けに応じて前記加工業者情報記憶手段を参照し、前記生産品名に基づいて該当する加工業者を選択し、当該加工業者の加工業者端末に対して前記購入希望情報を送信して加工の可否を問い合わせる生産可否問合せ手段と、を有し、さらに、本願発明の情報処理装置は、前記購入希望情報の送信に応じて生産条件の変更を含む生産品の生産予定情報と生産者識別情報を前記依頼識別情報と共に前記生産者端末から受け付け、前記購入希望情報記憶手段を参照して前記依頼識別情報に基づき購入者を特定し、当該生産予定情報と生産者識別情報とを前記購入者端末へ送信して当該生産予定情報に基づく条件で生産を依頼するか否か問い合わせる生産依頼問合せ手段をさらに有することを特徴とする。さらに、本願発明の情報処理装置は、前記購入希望情報の送信に応じて流通条件の変更を含む生産品の流通予定情報と流通業者者識別情報を前記依頼識別情報と共に前記流通業者端末から受け付け、前記購入希望情報記憶手段を参照して前記依頼識別情報に基づき購入者を特定し、当該流通予定情報と流通業者識別情報とを前記購入者端末へ送信して当該流通予定情報に基づく条件で流通を依頼するか否か問い合わせる流通依頼問合せ手段をさらに有することを特徴とする。
さらに、本願発明の情報処理装置は、前記購入希望情報の送信に応じて加工条件の変更を含む生産品の加工予定情報と加工業者識別情報を前記依頼識別情報と共に前記加工業者端末から受け付け、前記購入希望情報記憶手段を参照して前記依頼識別情報に基づき購入者を特定し、当該加工予定情報と加工業者識別情報とを前記加工業者端末へ送信して当該加工予定情報に基づく条件で加工を依頼するか否か問い合わせる加工依頼問合せ手段をさらに有することを特徴とする。また、本願発明は上記生産進捗情報受付手段において、購入条件に合致した流通条件を流通業者端末から受付けて、購入条件に合致した加工条件を加工業者端末から受付け予め記憶する流通予定情報、加工予定情報との比較によって遵守状況を判定してもよい。
【００１４】
また、上記判定基準情報は、公的機関の定める制度が用いる生産物等の安全性に関する基準を元に生成した情報であって、具体例ではＪＡＳ法で定めるＪＡＳ規格、品質表示基準、品質に関する国際的な標準規格であるＩＳＯ１４０００シリーズ、ＩＳＯ２２０００シリーズなどと共に独自に規定する指標を組み合わせて構成する情報である。
【００１５】
生産物等の品質レベルの判定は、たとえば、前記判定基準情報記憶手段が、前記生産予定情報に示される各項目の遵守されている項目と遵守されていない項目の組み合わせによって品質レベルを決定する上記判定基準情報を予め記憶するものであり、前記品質レベル判定手段は、前記生産進捗情報に示される項目ごとに前記生産予定情報に示される項目と比較して遵守状況を判定し、全ての項目について遵守状況の判定が完了した後、前記判定基準情報記憶手段を参照することによって行なうようにすることが出来る。
【００１６】
また、この品質レベルの判定は、前記判定基準情報記憶手段が、前記生産予定情報に示される項目ごとに重み付けが成された遵守率、及び当該遵守率の合計によって品質レベルを決定する判定基準情報を予め記憶するものであり、前記品質レベル判定手段は、前記生産進捗情報に示される項目ごとに前記生産予定情報に示される項目と比較して遵守状況を判定し、全ての項目について遵守状況の判定が完了した後、前記判定基準情報記憶手段を参照して遵守している項目の遵守率を合算し、品質レベルの判定を行なうようにすることも出来る。この際、前記判定基準情報を、購入者および／または生産品ごと独自に設定することで、購入者および／または生産品ごとに固有の評価を行なうようにしたものでも良い。
【００１７】
また、本願発明は、前記品質レベル判定手段を有する情報処理装置に加えて、前記品質レベルごとに実施する所定の行為情報の設定を予め受け付ける品質レベル行為設定情報受付手段と、前記受け付けた品質レベル行為設定情報を記憶する品質レベル行為情報記憶手段と、前記品質レベル判定手段で判定された品質レベルに基づいて前記品質レベル行為情報記憶手段を参照し、該当する品質レベルに対して設定された所定の行為を実施する品質レベル行為実施手段と、をさらに有するものとしても良い。この際、品質レベル行為設定情報受付手段で受け付ける所定の行為の設定は、生産物等ごとでも良いし、購入者ごとに設定しても良い。
【００１８】
また、本願発明は、前記品質レベル行為実施手段を有する情報処理装置に加えて、前記品質レベル行為実施手段で実施された行為情報と前記取引識別情報と関連付けて記憶する商品情報記憶手段と、前記品質レベルの判定の結果、前記実施行為情報記憶手段に取引中止を示す発注取消情報が記憶される場合に、当該実施行為情報記憶手段を検索して前記同様の発注取消情報が記憶された取引の取引識別情報を抽出し、当該抽出した取引識別情報に基づいて前記取引情報記憶手段に記憶された生産予定情報と、前記生産進捗情報記憶手段に記憶された生産進捗情報とを参照し、前記品質レベル判定手段によって当該生産予定情報と生産進捗情報とを比較して身代わり生産者等または身代わり購入者を選択する代替者選択手段と、をさらに有するものとしても良い。この際、代替者選択手段としては、取引を中止した購入者が望む生産予定情報に示す条件を満足する生産進捗情報を有する代替生産者等を選択する代替生産者選択手段や、取引を中止された生産者等の生産進捗情報に示す条件で満足する生産予定情報を有する代替購入者を選択する代替購入者選択手段とすることが出来る。
【００１９】
さらに、本願発明は、前記品質レベル判定手段を有する情報処理装置に加えて、前記生産依頼問合せ手段で受け付けた前記生産予定情報には、生産物の販売希望価格情報が含まれるものとし、前記品質レベル情報と前記販売希望価格の割引率情報とを関連付けて記憶する割引率情報記憶手段と、前記品質レベル判定手段で判定された品質レベルに応じて前記割引率情報記憶手段を参照し、当該品質レベルに対応する割引率を算出する割引率算出手段と、前記割引率算出手段で算出された割引率情報を、前記生産進捗情報受付手段で受け付けた前記取引識別情報に基づいて前記取引情報記憶手段より抽出した購入者識別情報によって特定される当該購入者端末へ報告する割引率情報報告手段と、をさらに有するものとしても良い。
【発明の効果】
【００２０】
本願発明によれば、生産者情報受付手段と生産者情報記憶手段と購入希望情報受付手段と購入希望情報記憶手段と生産可否問合せ手段とを有するので、まず、購入者端末から少なくとも生産品名及びその生産条件情報を含む購入希望情報と前記購入者を特定する購入者識別情報とを前記購入希望情報受付手段にて受け付け、前記生産者情報受付手段で受け付けた各情報を記憶する前記生産者情報記憶手段を参照して生産者等候補を特定し、引き続き、特定した前記生産者等候補の各生産者端末に対して、購入者が提示した購入希望情報を前記生産可否問合せ手段より送信することで、前記購入者が希望する生産品の生産可否の問い合わせが行なわれる。また、本願発明は、生産依頼問合せ手段をさらに有するので、前記購入者が希望する生産品の生産可否の問合せに応じて、当該生産品の生産を可能とする生産者等の各生産者端末から生産者等の事情を組み入れた生産条件の変更を含む生産品の生産予定情報と生産者識別情報を前記依頼識別情報と共に前記生産依頼問合せ手段にて受け付け、前記購入希望情報記憶手段を参照して受け付けた前記依頼識別情報に基づき購入者を特定し、特定した当該購入者の購入者端末に対して折り返し各生産者等が提示した生産予定情報を送信して、生産の依頼可否とどの生産者等へ生産依頼を行なうかの確認を問い合わせることが出来る。これにより、購入者が希望する生産条件と生産者等の事情を考慮し、双方が納得した取引が行なえ、購入者は所望の生産品の入手が可能となる。
【００２１】
また、本願発明は、生産予定情報記憶手段と生産依頼手段と取引情報記憶手段と生産進捗情報受付手段と進捗状況報告手段とをさらに有するので、購入者が納得して生産品の生産依頼を行なうか、及び生産品の生産をどの生産者等へ依頼するかの問合せに応じて、前記購入者端末から当該生産物の生産を依頼する生産者等を特定する生産者識別情報を伴う発注情報を前記生産依頼手段にて受け付けると共に、当該発注情報の受け付けに伴って取引を特定する取引識別情報を発行し、当該取引識別情報や前記生産予定情報を含む取引成立情報を前記生産者端末へ送信して、前記生産品の生産を依頼することが出来る。さらに、本願発明では、生産進捗状況問合せ手段をさらに有するので、前記生産品の生産中に、前記生産者端末から生産予定の変更情報を含む生産進捗状況を報告する生産進捗情報と前記取引識別情報とを前記生産進捗情報受付手段にて受け付け、前記取引情報記憶手段を参照して受け付けた前記取引情報に基づき購入者を特定し、特定した当該購入者の購入者端末に対して受け付けた生産進捗情報を前記進捗状況報告手段より送信して生産品の進捗状況を報告することが出来る。これにより、生産途中の生産品が購入者の希望する条件を満たしたものであるか否か、事前に確認することが可能となる。しかも、いつ送られてくるかわからない生産者等からの報告を待つことなく、所定の時期に生産進捗状況を前記生産者等（端末）に対して問い合わせるものとすることにより、生産進捗情報を定期的にもしくは購入者の所望の時期に受け取ることで生産進捗状況を積極的に確認することが可能となる。
【００２２】
また、本願発明は、生産進捗情報記憶手段と品質レベル判定手段と商品情報報告手段とをさらに有するので、前記生産進捗情報受付手段で受け付けた生産進捗情報と前記取引情報記憶手段より抽出した生産予定情報とを前記品質レベル判定手段にて比較し、前記生産予定情報に示される項目ごとに遵守状況を判定する判定基準情報を記憶する判定基準情報記憶手段を参照して品質レベルを判定し、生産途中の生産品の品質レベル情報を、購入者識別情報によって特定される当該購入者端末へ商品情報報告手段より報告することが出来る。これにより、生産品が購入者の希望する条件を満たした品質レベルのものであるか否か事前に容易に判断することが可能となる。
【００２３】
また、本願発明は上記品質レベルに応じて顧客の希望条件を満たしている度合いを視認しやすく出力する手段も有する。従って、顧客が希望した条件に全て合致する場合品質レベルは最高度であり、それを一目瞭然に判断可能な「ゴールドラベル」として出力してもよい。同様に顧客が希望した条件に合致はするものの全てにおいて合致するわけでは内場合においては、「シルバーラベル」、「ブロンズラベル」など生産品に附する印刷媒体への出力形態を変化させることで当該生産品が顧客の要望に叶っているか否かの判断を容易にすることが可能となる。
【００２４】
また、本願発明は、品質レベル行為設定情報受付手段と品質レベル行為情報記憶手段と品質レベル行為実施手段とをさらに有するので、前記品質レベル判定手段で品質レベルが判定されることに伴って前記品質レベル行為情報記憶手段を参照し、予め該当する品質レベルに対して設定された所定の行為を前記品質レベル行為実施手段によって実施することが出来る。これにより、購入者が望む品質レベルと報告された品質レベルとに差が生じてしまった場合に、その差に対応した適切な行為を効率良く行なうことが可能となる。
【００２５】
また、本願発明は、商品情報記憶手段と代替者選択手段とをさらに有するので、前記品質レベルの判定の結果、前記商品情報記憶手段に取引中止を示す発注取消情報が記憶される場合に、前記代替者選択手段によって当該商品情報記憶手段を検索し、発注取消情報が記憶された取引の取引識別情報を抽出して、当該抽出した取引識別情報に基づいて前記取引情報記憶手段に記憶された生産予定情報と、前記生産進捗情報記憶手段に記憶された生産進捗情報とを比較参照して、購入希望の生産品の品質レベルと生産される生産品の品質レベルとが互いに適合することとなる、身代わり生産者等または身代わり購入者を選択することが出来る。これにより、取引の中止によって取引相手の生産者等がいなくなり、生産品の入手が出来なくなってしまった購入者に適合する代替生産者等を、他の取引の中止によって取引相手の購入者がいなくなってしまった生産者等の中から探したり、取引の中止によって取引相手の購入者がいなくなり、生産品の販売が出来なくなってしまった生産者等に適応する代替購入者を、他の取引の中止によって取引相手の生産者等がいなくなってしまった購入者の中から探したりすることが出来る。
【００２６】
さらに、本願発明は、前記生産依頼問合せ手段で受け付けた前記生産予定情報には、生産物等の販売希望価格情報が含まれるものとし、割引率情報記憶手段と割引率算出手段と割引率情報報告手段とをさらに有するので、前記品質レベル判定手段で品質レベルが判定されると、前記割引率算出手段によって前記割引率情報記憶手段を参照して、判定された品質レベルに応じた割引率を算出し、当該割引率情報を、前記生産進捗情報受付手段で受け付けた前記取引識別情報に基づいて前記取引情報記憶手段より抽出した購入者識別情報によって特定される当該購入者端末へ前記割引率情報報告手段によって報告することが出来る。これにより、生産品の販売希望価格を品質レベルに応じた適切なものに修正し、正当な取引の継続を促すことが出来る。
【発明を実施するための最良の形態】
【００２７】
以下、図面を参照しながら、本願発明の実施の形態について説明する。
以下において、「購入者」とは、生産品を購入する者であって、一般消費者のほか、デパート、スーパーなどの小売店や、卸店等を含む。一方、「生産者等」とは、生産品を販売する者であって、当該生産品を実際に生産する農家や漁師などの収穫者を含むほか、デパート、スーパーなどの小売店、卸店等を含む。また、「生産物等」とは、前記生産者等によって生産される物品であり、農産物のみならず広く生鮮食料品、牛や豚、鶏などの食肉、工芸品、住宅等を含む。したがって、購入者と生産者等は、一般消費者や小売店、卸店、農家、漁師といった呼び名で単純に区分けされるものではなく、生産物の取引の形態によって区分けされるものである。
【００２８】
図１は、本願発明に係る情報処理装置（以下、「本サーバ」という）１の一実施形態を概略的に示す全体構成図である。
図１に示すように、本サーバ１は、購入者が利用する購入者端末２と、生産者等が利用する生産者端末３のそれぞれと通信ネットワークＮＷを介して接続され、購入者が希望する生産品の取引を支援する装置である。
通信ネットワークＮＷの例としては、インターネットやＬＡＮなどのコンピュータ通信網がある。本サーバ１、端末２，３は、専用線、公衆交換電話網（ＰＳＴＮ）、無線電話網、ＣＡＴＶ網、衛星通信網等の通信回線を介して通信ネットワークＮＷと接続している。
【００２９】
購入者端末２と生産者端末３は、通信ネットワークＮＷを介して本サーバ１と通信することができる情報処理装置であればよく、たとえば、パーソナルコンピュータをはじめ、データ通信機能を有するＰＤＡ（Personal Digital Assistant）や携帯電話機などが挙げられる。
【００３０】
次に、本サーバ１は、購入者端末２及び生産者端末３と通信ネットワークＮＷを介して通信することができる情報処理装置であればよく、たとえば、パーソナルコンピュータなどが挙げられる。
ここで本サーバ１は、いわゆるＷｅｂサーバとして動作して、購入者端末２または生産者端末３と情報交換（情報の送受信）を行う。ただし、本サーバ１と購入者端末２または生産者端末３との通信手段は、これに限定するものではなく、電子メールやファイル転送などの技術を用いるようにしてもよい。
【００３１】
本サーバ１は、一例として、生産者情報受付部１１と、購入希望情報受付部１２と、生産可否問合せ部１３と、生産依頼問合せ部１４と、生産依頼部１５と、生産進捗情報受付部１６と、進捗情報報告部１７と、生産進捗状況問合せ部１８と、品質レベル判定部１９と、商品情報報告部２０と、品質レベル行為設定情報受付部２１と、品質レベル行為実施部２２と、代替者選択部２３と、割引率算出部２４と、割引率情報報告部２５とを有し、さらに、生産者情報記憶部ＤＢ１と、購入者情報記憶部ＤＢ２と、購入希望情報記憶部ＤＢ３と、生産予定情報記憶部ＤＢ４と、取引情報記憶部ＤＢ５と、生産進捗情報記憶部ＤＢ６と、判定基準情報記憶部ＤＢ７と、品質レベル行為情報記憶部ＤＢ８と、商品情報記憶部ＤＢ９と、割引率情報記憶部ＤＢ１０と、を具備する。
本サーバ１は、このような構成とすることにより種々の形態を実施することが出来る。
【００３２】
また、本サーバ１は、図示しないが、ＣＰＵ（中央処理装置）とプログラム記憶部とを有する。ＣＰＵは、プログラム記憶部に記憶されたプログラムに従い、本サーバ１の各構成要素を統制制御し、プログラム処理を実行する。プログラム記憶部は、ＲＯＭ（Read Only Memory）やＲＡＭ（Random
Access Memory）等で構成され、本サーバ１が使用する各種プログラムを記憶している。
【００３３】
生産者情報受付部１１は、少なくとも生産可能な生産品名を含む生産品情報と前記生産者等を特定する生産者属性情報（以下、「生産者ＩＤ」という）とを、予め前記生産者端末３から受け付ける処理を行なう。生産者情報受付部１１で受け付けられた生産品情報は、生産者ＩＤをインデックスとして生産者情報記憶部ＤＢ１に記憶される。
なお、前記生産者ＩＤは、事前に生産者情報受付部１１より生産者等の氏名（名称）、住所、連絡先といった生産者等の属性情報を登録することで、発行・付与するようにしても良いし、前記生産品情報の登録時に前記生産者等の属性情報を登録し、発行・付与するようにしても良い。生産者情報受付部１１で受け付けられた生産者等の属性情報もまた、生産者ＩＤをインデックスとして生産者情報記憶部ＤＢ１に記憶される。
【００３４】
購入希望情報受付部１２は、少なくとも生産品名とその生産条件情報を含む購入希望情報と前記購入者を特定する購入者識別情報（以下、「購入者ＩＤ」という）とを前記購入者端末２から受け付け、当該購入希望情報の受け付けに伴って生産の依頼を特定する依頼識別情報（以下、「依頼ＩＤ」という）を発行する処理を行なう。
購入希望情報とは、購入者が購入を希望することで指定する生産品名（商品名）と、生産品に求める各種条件に関する情報であり、たとえば、商品の種類、生産地、露地栽培やハウス栽培、有機栽培、無農薬栽培といった生産方法、肥料の種類や量や使用頻度、農薬の使用有無、農薬使用の場合はその種類や量や使用頻度、納期、購入数量、国産品や外国産品または遺伝組み換え品といった原料の種類、等を含めた生産条件の他、納期や購入量、購入希望価格、等を含む。
【００３５】
また、購入者が希望する生産品の購入希望条件として流通方法（チルド配送希望、一定温度配送希望など）や加工方法（「生のまま」にする、「熱処理する」など）の指定を条件としてそれぞれを、流通条件情報、加工条件情報として購入者端末２から受付けるようにしてもよい。この場合、上記流通条件情報及び上記加工条件情報を上記購入希望情報の一部に含めて購入希望情報を構成する。すなわち、購入希望情報に含まれる購入者が購入を希望する生産品に求める各種条件の中に流通条件情報と加工条件情報とを含んで構成する。上記流通条件情報、加工条件情報は予め図示しない流通業者端末、加工業者端末から入力しておき、購入者が各流通条件情報、加工条件情報を指定する際に、予め記憶している各情報から指定できるようにしてもよい。
【００３６】
購入希望情報受付部１２で受け付けられた購入希望情報と購入者ＩＤは、依頼ＩＤをインデックスとして購入希望情報記憶部ＤＢ３に記憶される。
前記購入希望情報は、それぞれの項目ごとに購入者に入力または選択させるようにしても良いが、予めプラチナ、ゴールド、シルバー、ブロンズといった生産品にとって好ましい順に生産条件のランクを示す各種雛形を準備しておき、購入者に所望のランクの雛型を選択（指定）させるようにしても良い。
なお、前記購入者ＩＤは、図示しないが、事前に購入者情報受付部より購入者の氏名（名称）、住所、連絡先といった購入者の属性情報を登録することで、発行・付与するようにしても良いし、前記購入希望情報の登録時に前記購入者の属性情報を登録し、発行・付与するようにしても良い。購入者情報受付部で受け付けられた購入者の属性情報は、購入者ＩＤをインデックスとして、別途、購入者情報記憶部ＤＢ２に記憶される。
【００３７】
生産可否問合せ部１３は、前記購入希望情報の受け付けに応じて前記生産者情報記憶部ＤＢ１を参照し、前記生産品名に基づいて該当する生産者等を選択し、当該生産者等の生産者端末３に対して前記購入希望情報をそれぞれ送信して生産の可否を問い合わせる処理を行なう。
これにより、生産品名情報だけで取引相手を決めることなく、購入者が希望する詳細な購入希望条件を最も満たす最適の生産者等を見つけ出すことが出来る。
【００３８】
生産依頼問合せ部１４は、前記購入希望情報の送信に応じて生産条件の変更を含む生産品の生産予定情報と生産者ＩＤを依頼ＩＤと共に前記生産者端末３から受け付け、前記購入希望情報記憶部ＤＢ３を参照して前記依頼ＩＤに基づいて特定した購入者の購入者端末２に対して当該生産予定情報と生産者ＩＤとを送信し、当該生産予定情報に基づく条件で生産を依頼するか否か問い合わせる処理を行なう。
前記生産予定情報は、購入者が登録した購入希望情報（特に、生産条件）に対する生産者等からの回答であり、購入希望情報の条件を遵守する情報ほか、購入希望情報の一部又は全部の変更を求める情報のほかに、生産物の販売希望価格情報も含まれる。生産依頼問合せ部１４で受け付けられた生産予定情報と生産者ＩＤと依頼ＩＤは、特定された購入者ＩＤと共に、依頼ＩＤをインデックスとして生産予定情報記憶部ＤＢ４に記憶される。
これにより、購入者側からの一方的な購入希望情報だけで取引相手を決めることなく、生産者側の事情を考慮して取引相手を決めることが出来、双方が納得した取引が行なえるものとなる。
【００３９】
生産依頼部１５は、前記生産依頼問合せ部１４による前記生産予定情報と前記生産者ＩＤの前記購入者端末２への送信に応じて、前記生産物の生産を依頼する生産者等の生産者ＩＤを伴う発注情報を前記購入者端末２から受け付け、当該発注情報の受け付けに伴って取引を特定する取引識別情報（以下、「取引ＩＤ」という）を発行する処理を行なう。
また、生産依頼部１５は、当該取引ＩＤや前記生産予定情報を含む取引成立情報を前記生産者端末３へ送信して前記生産品の生産を依頼する処理を行なう。
前記発注情報は、前記生産予定情報に基づき生産品の生産を依頼する旨の意思表明の情報であり、この発注情報の受け付けに応じて該当する生産予定情報は、前記取引ＩＤをインデックスとして取引情報記憶部ＤＢ５に記憶される。
【００４０】
生産進捗情報受付部１６は、前記生産品の生産中に生産予定の変更情報を含む生産進捗状況を報告する生産進捗情報を、前記取引ＩＤと共に前記生産者端末３から受け付ける処理を行なう。
前記生産進捗情報は、生産予定情報に示す条件を遵守しているか、或いは、遵守していない場合は、項目ごとにその旨と内容を知らせる情報であり、生産進捗情報受付部１６で受け付けられた生産進捗情報と取引ＩＤは、前記取引ＩＤをインデックスとして生産進捗情報記憶部ＤＢ６に記憶される。
【００４１】
進捗情報報告部１７は、前記受け付けた生産進捗情報と前記取引ＩＤとを、前記取引情報記憶部ＤＢ５を参照し、前記取引ＩＤに基づいて特定した購入者の購入者端末２へ送信して生産品の進捗状況を報告する処理を行なう。
これにより、生産物が購入者の希望する条件を満たして順調に生産されているか否か、取引完了前に事前に確認することが可能となる。
【００４２】
また、上記進捗情報受付部１６は、図示しない流通業者端末と加工業者端末から流通進捗情報、加工進捗情報とを生産進捗情報に含める処理を行うよう構成しても良い。この場合、前記取引ＩＤをインデックスとして生産進捗情報記憶部６に記憶される生産進捗情報は、生産予定情報に示す条件を遵守しているか、流通予定情報に示す条件を遵守しているか、加工予定情報に示す条件を遵守しているか、或いは遵守していない場合は、各情報に含まれる項目ごとに「遵守していない」旨とその内容（どのように遵守していないか）を知らせる情報となる。
【００４３】
生産進捗状況問合せ部１８は、前記取引成立情報の送付後、前記取引情報記憶部ＤＢ５を参照して所定の時期に生産進捗状況を前記生産者端末２に対して問い合わせる生産進捗状況問合せ情報を送信する処理を行なう。すなわち、いつ生産者等から送られてくるかわからない進捗情報の報告を待つことなく、予め設定された所定の時期に生産進捗状況を前記生産者等（端末）に対して問い合わせる処理を行なうものである。この際、前記生産者端末３に対して問い合わせを行なう所定の時期は、取引開始に伴って予め設定した日時、または生産品ごとに予め設定した一定期間ごとでも良いし、購入者側が指定した日時であっても良い。
これにより、生産進捗情報を定期的にもしくは購入者の所望の時期に受け取ることで生産進捗状況を積極的に確認することが可能となる。
【００４４】
品質レベル判定部１９は、前記生産進捗情報受付部１６で受け付けた生産進捗情報と、当該生産進捗情報と共に前記生産進捗情報記憶部ＤＢ６に記憶した取引ＩＤに基づいて前記取引情報記憶部ＤＢ５より抽出した生産予定情報とを比較し、前記判定基準情報記憶部ＤＢ７を参照して品質レベルを判定する処理を行なう。
この場合、前記判定基準情報記憶部ＤＢ７が、後述するように、前記生産予定情報に示される各項目の遵守されている項目と遵守されていない項目の組み合わせによって品質レベルを決定する判定基準情報を予め記憶するものである場合は、前記生産進捗情報に示される項目ごとに前記生産予定情報に示される項目と比較して遵守状況を判定し、全ての項目について遵守状況の判定が完了した後、前記判定基準情報記憶部ＤＢ７を参照して品質レベルの判定を行なう。また、前記判定基準情報記憶部ＤＢ７が、前記生産予定情報に示される項目ごとに重み付けが成された遵守率、及び当該遵守率の合計によって品質レベルを決定する判定基準情報を予め記憶するものである場合は、前記生産進捗情報に示される項目ごとに前記生産予定情報に示される項目と比較して遵守状況を判定し、全ての項目について遵守状況の判定が完了した後、前記判定基準情報記憶部ＤＢ７を参照して遵守している項目の遵守率を合算し、品質レベルの判定を行なうとする。
【００４５】
また、上記判定基準情報記憶部ＤＢ７が、公的機関や第３者機関が規定する安全品質基準と合致する項目、合致しない項目を用いて品質レベルを決定する。合致する項目数によって判定基準情報を生成する場合、合致しない項目数によって判定基準情報を生成する場合、また双方の度合い（出現頻度、標準偏差など）によって判定基準情報を生成する場合など適宜選択的に決定することができる。この判定基準情報を予め記憶する場合は、前記生産進捗情報に示される項目ごとに、前記判定基準情報を用いて品質レベルの判定を行う。この場合、購入者が入力する購入希望情報に基づく品質レベルの判定は行わない。
【００４６】
品質レベル判定部１９での品質レベルの判定は、たとえば、前記生産進捗情報に示される項目ごとに前記生産予定情報に示される項目と比較して遵守状況を判定し、全ての項目について遵守状況の判定が完了した後、前記判定基準情報記憶部ＤＢ７を参照して品質レベルの判定を行なう。また、品質レベル判定部１９での品質レベルの判定は、たとえば、前記生産進捗情報に示される項目ごとに前記生産予定情報に示される項目と比較して遵守状況を判定し、全ての項目について遵守状況の判定が完了した後、遵守している項目の遵守率を合算し、前記遵守率判定基準情報記憶部ＤＢ８を参照して品質レベルの判定を行なうものとしても良い。
【００４７】
商品情報報告部２０は、前記品質レベル判定部１９で判定された品質レベル情報を含む生産進捗情報を商品情報として商品情報記憶部ＤＢ９に登録すると共に、商品情報識別情報（以下、「商品情報ＩＤ」という）を抽出し、当該商品情報ＩＤを、前記取引ＩＤに基づいて前記取引情報記憶部ＤＢ５より抽出した生産者ＩＤによって特定される当該生産者端末３へ報告する処理を行なう。
また、商品情報報告部２０は、購入者端末２又は生産者端末３から送信された商品情報ＩＤを受け付け、商品情報ＤＢ９を検索して該当する商品情報を抽出し、当該購入者端末２又は生産者端末３へ開示する処理も行なう。
これにより、当該生産品が購入者の希望する条件を満たした品質レベルのものであるか否か容易に確認し判断することが可能となる。
【００４８】
品質レベル行為設定情報受付部２１は、前記品質レベルごとに実施する所定行為の設定情報を予め受け付ける処理を行なう。
所定行為の設定とは、たとえば、品質レベルが○であったら所定行為Ａ、品質レベルが△であったら所定行為Ｂ、品質レベルが×であったら所定行為Ｃといったような、各レベルと各所定行為との組合せを指定することをいう。そして、受け付けられた設定情報は、品質レベル行為情報記憶部ＤＢ８に記憶される。
また、前記所定の行為としては、たとえば、前記進捗情報報告とは別に、前記品質レベルと前記生産進捗情報とを前記購入者端末２へ送信して前記品質レベルが変更したことを通知するものや、前記品質レベル情報及び前記生産進捗情報と共に、生産継続確認情報を前記購入者端末２へ送信して当該取引を継続するか否か問い合わせるもの、前記品質レベル情報及び前記生産進捗情報と共に、発注取消情報を前記購入者端末へ送信して発注を取り消した旨を通知するもの、などが挙げられる。
【００４９】
品質レベル行為実施部２２は、前記品質レベル判定部１９で判定された品質レベルに基づいて前記品質レベル行為情報記憶部ＤＢ８を参照し、前記品質レベル行為設定情報受付部２１にて設定された該当する品質レベルに対応する所定の行為を実施する処理を行なう。また、品質レベル行為実施部２２は、後述する代替者選択部２３で代替生産者等または代替購入者が選択された場合に、当該代替生産者等または代替購入者の各端末に対して代替取引問合せ情報を送信する処理も行なう。
これにより、購入者が望む品質レベルと報告された品質レベルとに差が生じてしまった場合に、その差に対応した適切な行為を効率良く行なうことが可能となる。
【００５０】
代替者選択部２３は、前記品質レベルの判定の結果、前記商品情報記憶部ＤＢ９に取引中止を示す発注取消情報が記憶され、取引相手がいなくなってしまった場合に、代替生産者等または代替購入者を選択する処理を行なう。代替生産者等または代替購入者の選択は、たとえば商品情報ＩＤとして取引ＩＤがそのまま使用されたのであれば、当該商品情報記憶部ＤＢ９を検索して前記同様の発注取消情報が記憶された取引の取引ＩＤを抽出し、当該抽出した取引ＩＤに基づいて前記取引情報記憶部ＤＢ５に記憶された生産予定情報と、前記生産進捗情報記憶部ＤＢ６に記憶された生産進捗情報とを参照し、前記品質レベル判定部１９によって当該生産予定情報と生産進捗情報とを比較すると共に、前記品質レベル行為情報記憶部ＤＢ８を参照して取引可能な相手、すなわち品質レベルに伴う所定行為の設定が取引中止を示すものでない取引者を抽出することにより行なう。
また、代替者選択部２３は、代替取引者が抽出されたら、代替生産者等の生産者端末３に対しては取引情報を、また、代替購入者の購入者端末２に対しては生産進捗情報を、送信する。
これにより、取引の中止によって取引相手である生産者等又は購入者がいなくなってしまった場合でも諦めることなく、他の取引の中止によって取引相手がいなくなってしまった生産者等又は購入者の中から適応する代替取引者を探し、新たな取引を発生させることが出来る。
【００５１】
割引率算出部２４は、前記品質レベル判定部１９で判定された品質レベルに応じて前記割引率情報記憶部ＤＢ１１を参照し、当該品質レベルに対応する割引率を算出する処理を行なう。
割引率情報報告部２５は、前記割引率算出部２４で算出された割引率情報を、前記生産進捗情報受付部１６で受け付けた前記取引ＩＤに基づいて前記取引情報記憶部ＤＢ５より抽出した購入者ＩＤによって特定される当該購入者端末３へ報告する処理を行なう。
【００５２】
生産情報記憶部ＤＢ１は、前記生産者情報受付部１１で受け付けた生産品情報と生産者ＩＤとを関連付けて記憶する。
生産情報記憶部ＤＢ１に記憶されている情報は、生産者情報に含まれる生産者ＩＤをインデックスとして、生産品名を含む生産品情報や生産者等の名称（又は氏名）、住所、連絡先といった所定の属性情報を１レコードとするデータベースを構成する。
【００５３】
購入者情報記憶部ＤＢ２は、予め購入者の名称（又は氏名）、住所、連絡先といった所定の属性情報を購入者ＩＤと関連付けて記憶する。
購入者情報記憶部ＤＢ２に記憶されている情報は、前記属性情報を登録することに伴って購入者情報受付部（図示せず）より発行される購入者ＩＤをインデックスとして、前記属性情報を１レコードとするデータベースを構成する。
【００５４】
購入希望情報記憶部ＤＢ３は、前記購入希望情報受付部１２で受け付けた購入希望情報と購入者ＩＤとを前記依頼ＩＤと関連付けて記憶する。
購入希望情報記憶部ＤＢ３に記憶されている情報は、前記購入希望情報と購入者ＩＤの受け付けに伴って購入希望情報受付部１２より発行される依頼ＩＤをインデックスとして、前記購入者ＩＤと前記購入希望情報とを１レコードとするデータベースを構成する。
【００５５】
生産予定情報記憶部ＤＢ４は、前記生産依頼問合せ部１４で受け付けた前記生産予定情報と前記生産者ＩＤとを、前記購入者ＩＤ及び前記依頼ＩＤと関連付けて記憶する。
生産予定情報記憶部ＤＢ４に記憶されている情報は、前記依頼ＩＤをインデックスとして購入者ＩＤごとに、前記生産者ＩＤ、及び前記生産予定情報を１レコードとするデータベースを構成する。
【００５６】
取引情報記憶部ＤＢ５は、前記生産依頼部１５で受け付けた生産者ＩＤに基づいて前記生産予定情報記憶部ＤＢ４より抽出した生産予定情報、生産者ＩＤ、及び購入者ＩＤと、前記生産依頼部１５で発行された取引ＩＤとを関連付けて記憶する。
取引情報記憶部ＤＢ５に記憶されている情報は、前記生産依頼部１５での発注情報の受け付けに伴って発行される取引ＩＤをインデックスとして、前記購入者ＩＤと前記生産者ＩＤ、及び前記生産予定情報を１レコードとするデータベースを構成する。
【００５７】
生産進捗情報記憶部ＤＢ６は、前記生産進捗情報受付部１６で受け付けた生産進捗情報と前記取引ＩＤとを関連付けて記憶する。
生産進捗情報記憶部ＤＢ６に記憶されている情報は、前記取引ＩＤをインデックスとして取引ごとに生産進捗情報を１レコードとするデータベースを構成する。
【００５８】
判定基準情報記憶部ＤＢ７は、前記生産予定情報に示される項目ごとに遵守状況を判定する判定基準情報を予め記憶する。
判定基準情報としては、たとえば、前記生産予定情報に示される各項目の遵守されている項目と遵守されていない項目の組み合わせによって品質レベルを決定するものとしたり、前記生産予定情報に示される項目ごとに遵守率の重み付けをし、次いで、当該遵守率を合計することにより、その合計によって品質レベルを決定するものとしたりすることが出来る。
【００５９】
品質レベル行為情報記憶部ＤＢ８は、前記品質レベル行為設定情報受付部２１で受け付けた品質レベルごとに実施する所定行為の設定情報を記憶する。
前記品質レベルごとに実施する所定行為の設定情報としては、たとえば、品質レベルと所定行為とを一意に結びつけるものや、購入者ごとに品質レベルと所定行為を設定するもの、商品（生産品）ごとに品質レベルと所定行為を設定するもの、が挙げられる。
【００６０】
商品情報記憶部ＤＢ９は、前記品質レベル行為実施部２２で実施された行為情報と商品ＩＤと関連付けて記憶する。
商品情報記憶部ＤＢ９に記憶されている情報は、前記商品ＩＤをインデックスとして取引ごとに前記購入者ＩＤと前記生産者ＩＤ、前記商品情報、及取引状況を示す行為情報を１レコードとするデータベースを構成する。この商品ＩＤは、品質レベル判定部１９での判定により所定の実施行為情報が商品情報記憶部ＤＢ９に記憶されることに伴って新たに発行するものであっても良いし、取引ＩＤをそのまま使用しても良い。また、商品情報記憶部ＤＢ９には、前記行為情報を示す根拠となる品質レベル情報を含めても良い。
【００６１】
割引率情報記憶部ＤＢ１０は、前記品質レベル情報と前記販売希望価格の割引率情報とを関連付けて記憶する。
前記割引率情報は、予め品質レベルごとに取り決めても良いし、購入者が提示した購入希望情報の条件と、生産者等が提示した生産予定情報の条件とを考慮し、購入者または生産者等が適宜自由に設定できるものとしても良い。
【００６２】
なお、本実施形態における上記各データベースは、本サーバ１に搭載されたハードディスクなどの記憶装置上に実現される。
【００６３】
また、本サーバ１では、予め記憶された情報処理プログラム（以下、「本プログラム」という）が動作して本サーバ１内の各手段を制御することで、以下に説明する情報処理方法（以下、「本方法」という）を実現する。
また、本プログラムを記録したコンピュータ読取可能な記録媒体（以下、「本記録媒体」という）を用いれば、図示しないコンピュータを本サーバ１と同様に機能させることができる。すなわち、図示しないコンピュータが、本記録媒体から本プログラムを読取、実行することで、本方法を実現することができる。
【００６４】
次に、図１に示したサーバ１により実行される方法の一例を図１３乃至図１５に基づき説明する。図１３は、以上のように構成された本願発明の実施形態に係る本サーバ１において、購入者端末２からの購入希望条件の入力に基づいて生産者端末３へ生産可否の問合せを行うと共に、生産者端末３から送られた生産予定情報に基づいて購入者端末２へ生産依頼可否の問合せを行う第一実施形態と、引き続き取引成立後に、購入者端末２へ生産品の生産進捗状況の報告を行う第二実施形態の処理の流れをそれぞれ示すシーケンス図である。また、図１４は、引き続き生産進捗状況の報告後に品質レベルの判定と商品情報ＩＤの送信を行い、前記商品情報ＩＤの送信後に、当該商品情報ＩＤの入力に伴って商品情報の開示を行う第三実施形態の処理の流れをそれぞれ示すシーケンス図である。さらに、図１４は、引き続き品質レベルの判定後に、品質レベルに基づく所定行為を実施する第四実施形態と、引き続き所定行為の実施に伴って取引が中止され取引相手がいなくなった後に、代替取引者を探して購入者端末２及び／又は生産者端末３へ代替取引の問合せを行う第五実施形態と、品質レベル判定後に、品質レベルに伴う割引率を算出して購入者端末２送信を行う第六実施形態の処理の流れをそれぞれ示すシーケンス図である。
【実施例１】
【００６５】
（第一実施形態）
まず、あらかじめ生産者等が、少なくとも生産可能な生産品名を含む生産品情報と、前記生産者等を特定する生産者等ＩＤもしくは生産者等の氏名（名称）、住所、連絡先といった生産者等の属性情報を生産者端末３より入力し、本サーバ１へ送信する（（１）参照）。
本サーバ１は、生産者端末３より送られた生産品情報と生産者ＩＤもしくは属性情報を受け付ける（（２）参照）。
本サーバ１は、受け付けた生産品情報と生産者ＩＤもしくは属性情報を生産者情報記憶部ＤＢ１に登録し、生産者情報データベースを作成する（（３）参照）。生産者情報データベースとしては、たとえば図２にその一例を示すことができる。図２において、生産者情報データベース１１０は、たとえば生産者ＩＤ、当該生産者等の名称、住所、生産物名、連絡先などによって構成されている。作成された生産者情報データベース１１０は、生産者情報記憶部ＤＢ１に記憶される。
【００６６】
次に、購入者が、少なくとも生産品名とその生産条件情報を含む購入希望情報と、前記購入者を特定する購入者ＩＤもしくは購入者の氏名（名称）、住所、連絡先といった購入者の属性情報を購入者端末２より入力し、本サーバ１へ送信する（（４）参照）。
前記購入希望情報の入力は、たとえば図１６に示すような形で表すことができる。図１６は、本願発明の実施形態に係る購入希望情報入力画面の一例を示す図である。この購入希望情報入力画面Ｐ１０には、購入者ＩＤや生産品名、生産条件としての生産地、農薬（使用有無もしくは使用許可農薬名）、納期、購入数、希望価格といった各入力欄が設けられている。また、生産条件には、表示方式として「詳細」と「あいまい」があり、「詳細」を選択すると、プルダウンボタンを選択することにより詳細に区分した選択メニューが表示され、生産条件の「あいまい」を選択すると、プルダウンボタンを選択することにより大まかに区分した選択メニューが表示される。ここでは各入力欄に、購入者ＩＤとしてＡ００１、生産品名としてメロンが入力されていると共に、生産条件の表示方式として「詳細」が選択され、生産地として夕張、農薬として無農薬、納期として２００５年８月１５日、購入数として４０個、購入希望金額として￥２，５００／個、等が入力されている。したがって、購入者は、所望の表示方式によって購入者端末２より所望の購入希望情報を入力し、送信ボタンＢ１０をマウスでクリック等して選択することにより本サーバ１へ送信する。
【００６７】
次いで、本サーバ１は、購入者端末２より送られた購入希望情報と、購入者ＩＤもしくは属性情報を受け付ける（（５）参照）。
本サーバ１は、購入希望情報を受け付けると、前記購入希望情報ごとに依頼ＩＤを発行、付与する（（６）参照）。
また、本サーバ１は、購入者ＩＤではなく購入者の属性情報を受け付けた場合、受け付けた購入者属性情報を購入者情報記憶部ＤＢ２に登録し、購入者情報データベースを作成すると共に、購入者ＩＤを発行、付与する。購入者情報データベースとしては、たとえば図３にその一例を示すことができる。図３において、購入者情報データベース１２０は、たとえば購入者ＩＤ、当該購入者の名称、住所、生産物名、連絡先などによって構成されている。作成された購入者情報データベース１２０は、購入者情報記憶部ＤＢ２に記憶される。
一方、本サーバ１は、最初から購入者ＩＤを受け付けた場合、受け付けた購入希望情報と購入者ＩＤとを購入希望情報記憶部ＤＢ３に登録し、購入希望情報データベースを作成する（（７）参照）。購入希望情報データベースとしては、たとえば図４にその一例を示すことができる。図４において、購入希望情報データベース１３０は、たとえば依頼ＩＤ、購入者ＩＤ、生産品名、生産地や農薬とった生産条件項目などによって構成されている。作成された購入希望情報データベース１３０は、購入希望情報記憶部ＤＢ３に記憶される。
【００６８】
次いで、本サーバ１は、購入希望情報を受け付けると、前記生産者情報記憶部ＤＢ１を参照し、当該購入希望情報に含まれる生産品名をキーワードとして前記生産者情報記憶部ＤＢ１を検索して、購入者が希望する生産品の生産が可能と思われる生産者等を選択し、生産者候補を特定する（（８）参照）。この場合、生産者候補は１名でなく複数名であっても良い。
引き続き、本サーバ１は、特定した前記生産者候補の各生産者端末３に対して、購入者が提示した購入希望情報を送信することで、前記購入者が希望する生産品の生産可否の問い合わせを行う（（９）参照）。
【００６９】
次に、生産者等は、本サーバ１から送信された前記購入希望情報の生産者端末３での受信に応じ、生産条件の変更を含む生産品の生産予定情報を生産者端末３より入力し、依頼ＩＤ及び生産者ＩＤと共に、本サーバ１へ送信する（（１０）参照）。
前記生産予定情報の入力は、たとえば図１７に示すような形で表すことができる。図１７は、本願発明の実施形態に係る生産予定情報入力画面の一例を示す図である。この生産予定情報入力画面Ｐ２０には、予め依頼ＩＤや生産品名、生産条件が表示されていると共に、生産者ＩＤや生産予定情報としての生産地、農薬、販売希望価格といった各入力欄、及び購入者へのコメント入力欄が設けられている。ここでは、依頼ＩＤとしてＲ０２０、生産品名としてメロン、生産条件の生産地として夕張、農薬として無農薬、等が表示されている。また、生産者ＩＤの入力欄にＸ００１、生産予定情報の各入力欄に、生産地は遵守する、農薬は変更を希望する、使用する農薬名としてａａａ，ｂｂｂ、販売希望金額は変更を希望する、希望販売価格として￥２，８００／個、等が入力され、さらに、購入者へのコメントとして「無農薬を希望とのことですが、・・・・・ご安心ください。」と入力されている。したがって、生産者等は、生産者端末３より所望の生産予定情報を入力し、送信ボタンＢ２０をマウスでクリック等して選択することにより本サーバ１へ送信する。
【００７０】
次いで、本サーバ１は、生産予定情報を受け付けると、前記購入希望情報記憶部ＤＢ３を参照して当該生産予定情報に含まれる依頼ＩＤに基づいて購入者を特定し、特定した購入者の購入者端末２に対して当該生産予定情報と生産者ＩＤとを送信することで、当該生産予定情報に基づく条件で生産を依頼するか否か生産依頼問合せを行なう（（１１）参照）。なお、この場合、生産予定情報の送信は、生産者等ごとに別々に行なっても良いし、複数の生産者等の生産予定情報を併せて行なっても良い。
【００７１】
以上によって、購入者端末２からの購入希望条件の入力に基づいて生産者端末３へ生産可否の問合せを行うと共に、生産者端末３から送られた生産予定情報に基づいて購入者端末２へ生産依頼可否の問合せを行なう第一実施形態が完了する。これにより、購入者の多様化した個々の要望と、生産者等の事情を加味しながら、双方が納得した条件の基での取引が行なえるものとなる。
【００７２】
（第二実施形態）
また、本サーバ１は、上記第一実施形態に引き続き、生産者端末３より受け付けた生産予定情報と生産者ＩＤとを生産予定情報記憶部ＤＢ４に登録し、生産予定情報データベースを作成する（（１２）参照）。生産予定情報データベースとしては、たとえば図５にその一例を示すことができる。図５において、生産予定情報データベース１４０は、たとえば生産予定情報と共に受け付けた依頼ＩＤ、購入者ＩＤ、生産品名、生産者ＩＤ、生産地や農薬とった生産予定条件項目などによって構成されている。作成された生産予定情報データベース１４０は、生産予定情報記憶部ＤＢ４に記憶される。
【００７３】
次に、購入者が、受信した生産予定情報の内容を検討し、前記生産予定情報の内容で生産を依頼する場合は、所望の生産予定情報を指定して発注情報を購入者端末２より本サーバ１へ送信する（（１３）参照）。
前記生産予定情報を指定した発注は、たとえば図１８に示すような形で表すことができる。図１８は、本願発明の実施形態に係る生産予定情報閲覧画面の一例を示す図である。この生産予定情報閲覧画面Ｐ３０には、依頼ＩＤや生産品名、及び生産者ＩＤがＸ００１、Ｘ００５、等といった複数の生産者等の生産予定情報が表示されると共に、生産者ＩＤの左側に生産者選択欄が設けられている。ここでは、生産者ＩＤがＸ００１の生産者選択欄が選択されている。したがって、購入者は、所望の生産予定情報を示す生産者ＩＤの左側に位置する生産者選択欄を選択し、発注ボタンＢ３０をマウスでクリック等して選択することにより本サーバ１へ送信する。
【００７４】
次いで、本サーバ１は、購入者端末２より送られた依頼ＩＤを伴う発注情報と、生産ＩＤを受け付ける（（１４）参照）。
本サーバ１は、発注情報を受け付けると、前記発注情報ごとに取引を特定する取引ＩＤを発行、付与し、発注情報を選択された生産者等の生産者端末３に対して送信する（（１５）参照）。
生産者等は、本サーバ１より送られた発注情報を受信することにより、取引成立を確認する。取引成立の確認は、たとえば図１９に示すような形で表すことができる。図１９は、本願発明の実施形態に係る発注情報閲覧画面の一例を示す図である。この発注情報閲覧画面Ｐ４０には、取引ＩＤや生産品名、購入者ＩＤ、生産者等ＩＤ、及び生産条件項目として生産地、農薬、等が表示されている。したがって、生産者等は、表示された発注内容を確認し、確認ボタンＢ４０をマウスでクリック等して選択することにより本サーバ１へ送信する。
【００７５】
また、本サーバ１は、依頼ＩＤから特定される生産予定情報を取引情報として取引情報記憶部ＤＢ５に登録し、取引情報データベースを作成する（（１５）参照）。取引情報データベースとしては、たとえば図６にその一例を示すことができる。図６において、取引情報データベース１５０は、取引ＩＤ、購入者ＩＤ、生産者ＩＤ、生産品名、生産地や農薬とった生産条件項目などによって構成されている。作成された取引情報データベース１５０は、取引情報記憶部ＤＢ５に記憶される。
【００７６】
次いで、本サーバ１は、取引成立後、前記生産品の生産中に生産予定の変更情報を含む生産進捗状況を報告する生産進捗情報を生産者端末３より受け付ける。この生産進捗情報の受け付けは、生産者等から自発的に送られてくるのを待っても良いし、前記生産者等（端末）に対して生産進捗状況を問い合わせる処理を行なうことによって待ち受けても良い。
そして、本サーバ１から生産進捗状況を問い合わせる場合は、前記取引情報記憶部ＤＢ５を参照し、取引開始に伴って予め設定した日時、または生産品ごとに予め設定した一定期間、購入者側が指定した日時、といった所定の時期に生産進捗状況を前記生産者端末３に対して問い合わせる（（１７）参照）。
【００７７】
次に、生産者等は、本サーバ１から送信された前記生産進捗情報の生産者端末３での受信に応じ、生産予定情報に示す条件を遵守しているか、或いは、遵守していない場合は、項目ごとにその旨と内容を知らせる生産進捗情報を生産者端末３より入力し、取引ＩＤと共に本サーバ１へ送信する（（１８）参照）。
前記生産進捗情報の入力は、たとえば図２０に示すような形で表すことができる。図２０は、本願発明の実施形態に係る生産進捗情報入力画面の一例を示す図である。この生産進捗情報入力画面Ｐ５０には、予め取引ＩＤや生産品名が表示され、生産進捗情報を問合せる欄として、生産地、農薬といった生産条件が表示されていると共に、その項目についての生産進捗情報を入力する各入力欄、及び購入者へのコメント入力欄が設けられている。ここでは、取引ＩＤとしてＴ０１０、生産品名としてメロン、生産条件の生産地として夕張、農薬としてａａａ，ｂｂｂを使用する、等が予め表示され、生産進捗情報として生産地の入力欄に「遵守している」、農薬の入力欄に「遵守していない」、「ｃｃｃ」、等が入力され、使用農薬に関する当初の生産予定を変更して、農薬名ｃｃｃという別の農薬を使用した旨を知らせる生産進捗情報が入力されている。また、購入者へのコメントとして「突然の・・・により、・・・ですので、ご安心ください。」と入力されている。ここで、生産進捗情報として「遵守している」または「遵守していない」をプルダウンメニューから選択するようにすると、後述する品質レベルの判定において判断がし易くなり望ましい。したがって、生産者等は、生産者端末３より所望の生産予定情報を入力し、送信ボタンＢ５０をマウスでクリック等して選択することにより本サーバ１へ送信する。なお、この生産進捗状況の報告は、上述したとおり、本サーバ１からの問合せに従って行なっても良いし、生産者等から自発的に本サーバ１へ問い合わせ、上記生産進捗情報入力画面から行なうようにしても良い。したがって、突発的に生産予定の変更があった場合は、生産者等から自発的に生産進捗状況の報告を行なうようにし、それ以外は定期的に本サーバ１から生産進捗状況を問合せるようにすると望ましい。
【００７８】
次いで、本サーバ１は、生産進捗情報を受け付けると、前記取引情報記憶部ＤＢ５を参照して当該生産進捗情報に含まれる取引ＩＤに基づいて購入者を特定し、特定した購入者の購入者端末２に対して当該生産進捗情報と取引ＩＤとを送信することで、生産品の進捗状況を報告する（（１９）参照）。
前記生産進捗情報の確認は、たとえば図２１に示すような形で表すことができる。図２１は、本願発明の実施形態に係る生産進捗情報閲覧画面の一例を示す図である。この生産進捗情報閲覧画面Ｐ６０には、取引ＩＤや生産品名、及び生産進捗情報が表示されている。ここでは、生産地は「遵守している」、農薬は「遵守していない」旨が表示され、さらに、生産者等からのコメントとして「突然の・・・により、・・・ですので、ご安心ください。」と表示されている。そして、購入者は、この生産進捗情報を確認し、取引を継続するか、キャンセルするか検討をする。したがって、購入者は、取引を継続する場合は、継続ボタンＢ６０をマウスでクリック等して選択し、一方、取引をキャンセルする場合は、キャンセルボタンＢ６１をマウスでクリック等して選択することにより本サーバ１へ送信する。
【００７９】
以上によって、引き続き取引成立後に、購入者端末２へ生産品の生産進捗状況の報告を行う第二実施形態が完了する。これにより、生産物が購入者の希望する条件を満たして順調に生産されているか否か、事前に確認することが可能となる。
【００８０】
（第三実施形態）
また、本サーバ１は、上記第一実施形態及び第二実施形態に引き続き、生産者端末３より受け付けた生産進捗情報と取引ＩＤとを生産進捗情報記憶部ＤＢ６に登録し、生産進捗情報データベースを作成する（（２０）参照）。生産進捗情報データベースとしては、たとえば図７にその一例を示すことができる。図７において、生産進捗情報データベース１６０は、たとえば取引ＩＤ、生産品名、生産地や農薬といった生産進捗情報などによって構成されている。作成された生産進捗情報データベース１６０は、生産進捗情報記憶部ＤＢ６に記憶される。
【００８１】
本サーバ１は、生産進捗情報を受け付けると、引き続き判定基準情報記憶部ＤＢ７を参照して品質レベルを判定する（（２１）参照）。前記判定基準情報記憶部ＤＢ７には、たとえば、前記生産予定情報に示される各項目の遵守されている項目と遵守されていない項目の組み合わせによって品質レベルを決定する判定基準情報を予め記憶する組合せ判定基準情報データベース、または前記生産予定情報に示される項目ごとに重み付けが成された遵守率、及び当該遵守率の合計によって品質レベルを決定する判定基準情報を予め記憶する遵守率判定基準情報データベースが記憶されている。したがって、何れかの判定基準情報データベースを利用して品質レベルを導き出せば良いが、本願発明はこれに限定されず、これ以外の判定基準情報データベースを利用して品質レベルを導き出すものとしても良い。
【００８２】
組合せ判定基準情報データベースとしては、たとえば図８にその一例を示すことができる。図８において、組合せ判定基準情報データベース１７０は、たとえば生産地や農薬といった生産条件項目の遵守状況を示す情報と、品質レベルを示す情報によって構成されている。前記遵守状況を示す情報は、遵守していること示す「○」や、遵守されていないことを示す「×」、遵守しているか否か不明を示す「−」によって構成されている。また、品質レベルを示す情報は、全て遵守しているものを最高の「５」、遵守していないものを最低の「１」とした五段階で構成されている。作成された組合せ判定基準情報データベース１７０は、判定基準情報記憶部ＤＢ７に記憶される。
【００８３】
したがって、組合せ判定基準情報データベース１７０を利用して品質レベルを判定する場合は、まず、前記生産進捗情報と、当該生産進捗情報と共に前記生産進捗情報記憶部ＤＢ６に記憶した取引ＩＤに基づいて前記取引情報記憶部ＤＢ５より抽出した生産予定情報とを比較し、互いの情報が一致する（遵守している）場合は「○」、そうでない場合は「×」として遵守状況を判定する。この際、生産進捗情報として「遵守している」または「遵守していない」をプルダウンメニューから選択していた場合は、前記生産予定情報と実際に比較するまでも無く、「遵守している」または「遵守していない」の情報から比較が行なえ、品質レベルの判定がし易くなる。次いで、この判定結果を一時的に記憶しておき、全ての項目について遵守状況の判定が完了した後、前記組合せ判定基準情報データベース１７０を参照し、たとえば、全ての項目が「○」であった場合は品質レベル「５」、農薬の項目が「×」で、それ以外の項目が「○」であった場合は品質レベル「３」といったように、品質レベルを導き出すことを行なう。
【００８４】
一方、遵守率判定基準情報データベースとしては、たとえば図９にその一例を示すことができる。図９において、遵守率判定基準情報データベース１８０Ａは、たとえば生産地や農薬といった生産条件項目の重み付けを示す情報によって構成され、遵守率判定基準情報データベース１８０Ｂは、たとえば前記生産条件項目の遵守率を示す情報と、品質レベルを示す情報によって構成されている。前記重み付けを示す情報は、各生産条件項目をどれだけ重視しているかを％値で示したもので、たとえば生産地を５０％、農薬を３０％、等といったように構成されている。また、遵守率を示す情報は、前記生産条件項目がどれだけ遵守されたかを前記重み付けを示す情報を参照して重み付けの割合を合計した値を「１００％」、「８０−９９％」・・・「２９−０％」と五つに分けて示したもので、品質レベルを示す情報は、前記「１００％」を最高の「５」、前記「２９−０％」を最低の「１」とした五段階で構成されている。作成された組合せ遵守率判定基準情報データベース１８０Ａ，１８０Ｂは、判定基準情報記憶部ＤＢ７に記憶される。
【００８５】
したがって、遵守率判定基準情報データベース１８０Ａ，１８０Ｂを利用して品質レベルを判定する場合は、まず、前記生産進捗情報と、当該生産進捗情報と共に前記生産進捗情報記憶部ＤＢ６に記憶した取引ＩＤに基づいて前記取引情報記憶部ＤＢ５より抽出した生産予定情報とを比較し、前記遵守率判定基準情報データベース１８０Ａを参照して、互いの情報が一致する（遵守している）場合の項目に付与された重み付け値を合算する。この際、生産進捗情報として「遵守している」または「遵守していない」をプルダウンメニューから選択していた場合は、やはり前記生産予定情報と実際に比較するまでも無く、「遵守している」または「遵守していない」の情報から比較が行なえ、品質レベルの判定がし易くなる。次いで、この重み付け値の合計を一時的に記憶しておき、前記遵守率判定基準情報データベース１８０Ｂを参照し、たとえば、全ての項目の情報が一致して重み付け値が「１００％」であった場合は品質レベル「５」、農薬の項目の情報が一致せず、それ以外の項目の情報が一致して重み付け値が「７０％」であった場合は品質レベル「３」といったように、品質レベルを導き出すことを行なう。
【００８６】
そして、本サーバ１は、品質レベルの判定後、判定された前記品質レベル情報を含む生産進捗情報を商品情報として商品情報記憶部ＤＢ９に登録し、商品情報データベースを作成する（（２２）参照）。商品情報データベースとしては、たとえば図１１にその一例を示すことができる。図１１において、商品情報データベース２００は、たとえば商品情報ＩＤと、生産進捗情報と共に受け付けた取引ＩＤに基づき前記取引情報記憶部ＤＢ５より抽出した購入者ＩＤ、生産者ＩＤ、生産品名、生産地や農薬とった商品情報、品質レベルなどによって構成されている。作成された商品情報データベース２００は、商品情報記憶部ＤＢ９に記憶される。前記商品情報ＩＤは、前記商品情報が商品情報記憶部ＤＢ９に記憶されることに伴って新たに発行するものであっても良いし、取引ＩＤをそのまま使用しても良い。図１１に示す商品情報データベース２００では、Ｔ０１０という今までの取引ＩＤに代えて新たにＮ１０１という商品情報ＩＤが付与されているなお、図１１に示す商品情報データベース２００には、取引状況の項目が設けられているが、この説明は後述する。
【００８７】
また、本サーバ１は、前記商品情報記憶部ＤＢ９に新たに商品情報が登録されると、当該商品情報ＩＤを抽出する（（２３）参照）。
次いで、本サーバ１は、抽出した前記商品情報ＩＤと共に品質レベル情報を、前記商品情報記憶部ＤＢ９（もしくは前記取引情報記憶部ＤＢ５）より抽出した生産者ＩＤによって特定される当該生産者端末３へ送信する（（２４）参照）。
【００８８】
次に、生産者端末３は、本サーバ１より送られた前記商品情報ＩＤと品質レベル情報を受信する（（２５）参照）。
生産者等は、前記商品情報ＩＤと品質レベル情報を受信すると、品質レベル情報に基づいて商品情報ラベル用の台紙を選択する（（２６）参照）。前記台紙の選択は、品質レベル情報に示されたランクごとに、たとえば、台紙の形状を☆形（星型）、○形（丸型）、□形（角型）といったように変化させたり、または、台紙全体や一部の色をゴールド、シルバー、茶色といったように変化させたりすることにより行う。
次いで、生産者等は、上記選択した商品情報ラベル用の台紙に、前記生産者等端末３にて受信した品質レベル情報や商品情報ＩＤを含む所定のラベル用商品情報を印刷する（（２７）参照）。
そして、生産者等は、前記所定のラベル用商品情報が印刷された商品情報ラベルを、当該生産品または当該生産品を収容する商品容器等の外面に貼付し、この商品を購入者へ販売する（（２８）参照）。前記商品情報ラベルとしては、たとえば図２２（ａ）にその一例を示すことができる。図２２（ａ）において、商品情報ラベルＬ１０は、○形をした商品情報ラベル用台紙に、品質レベルを示す「４」や、生産者等を示す「○○農園」、生産者等からのコメント、商品情報ＩＤを示す「Ｎ０１０」、及び保証元を示す「ｘｘｘ協会」といったラベル用商品情報が印刷されている。また、前記商品情報ラベルが貼付された商品としては、たとえば図２２（ｂ）にその一例を示すことができる。図２２（ｂ）において、当該生産品を収容する商品容器Ｇ１０の外面には、前記商品情報ラベルＬ１０が貼付されている。
【００８９】
購入者は、購入した商品に貼付されている商品情報ラベルＬ１０に表示されている商品情報ＩＤを、購入者端末２より入力し、本サーバ１へ送信する（（２９）参照）。
前記商品情報ＩＤの入力は、たとえば図２３に示すような形で表すことができる。図２３は、本願発明の実施形態に係る商品情報ＩＤ入力画面の一例を示す図である。この商品情報ＩＤ入力画面Ｐ１００には、商品情報ＩＤ入力欄が設けられている。したがって、購入者は、自分が購入した商品に貼付されている商品情報ＩＤを前記商品情報ＩＤ入力欄に入力し、送信ボタンＢ１００をマウスでクリック等して選択することにより本サーバ１へ送信する。
【００９０】
次いで、本サーバ１は、購入者端末２より送られた商品情報ＩＤを受け付ける（（３０）参照）。
本サーバ１は、引き続き当該商品情報ＩＤに基づき、商品情報ＤＢ９を検索して該当する商品情報を抽出する（（３１）参照）。
そして、本サーバ１は、抽出した商品情報を当該購入者端末２へ返信する（（３２）参照）。
購入者は、送信された商品情報を購入者端末２上で確認する。商品情報の確認は、たとえば図２４に示すような形で表すことができる。図２４は、本願発明の実施形態に係る商品情報閲覧画面の一例を示す図である。この商品情報閲覧画面Ｐ１１０には、商品情報ＩＤや生産品名の他、生産進捗情報としての生産地や使用された農薬、及び生産者等からのコメント等が表示されている。したがって、購入者は、表示された商品情報内容を確認し、確認ボタンＢ１１０をマウスでクリック等して選択することにより確認終了を本サーバ１へ知らせる。
【００９１】
以上によって、前記第一実施例及び第二実施例に引き続き、生産進捗状況の報告後に品質レベルの判定と商品情報ＩＤの送信を行い、前記商品情報ＩＤの送信後に、当該商品情報ＩＤの入力に伴って商品情報の開示を行う第三実施形態が完了する。これにより、当該生産品が購入者の希望する条件を満たしている品質レベルのものであるか否か容易に確認し、判断することが可能となる。
【００９２】
（第四実施形態）
また、本サーバ１は、上記品質レベルの判定後、品質レベル行為情報記憶部ＤＢ８を参照し、判定した該当する品質レベルに対応する所定の行為を実施するようにしても良い（（４１）参照）。前記品質レベル行為情報記憶部ＤＢ８には、たとえば、品質レベルと所定行為とを一意に結びつけた品質レベル行為情報データベースや、購入者ごとに品質レベルと所定行為を設定した品質レベル行為情報データベース、または商品（生産品）ごとに品質レベルと所定行為を設定した品質レベル行為情報データベースが記憶されている。したがって、何れかの品質レベル行為情報データベースを利用して当該品質レベルに対応する所定行為を導きだして実施すれば良いが、本願発明はこれに限定されず、これ以外の品質レベル行為情報データベースを利用して当該品質レベルに対応する所定行為を導きだすものとしても良い。
【００９３】
品質レベル行為情報データベースとしては、たとえば図１０にその一例を示すことができる。図１０（ａ）において、品質レベル行為情報データベース１９０ａは、品質レベル行為の種別を示す情報と、品質レベルを示す情報によって構成されている。前記品質レベル行為の種別を示す情報は、生産進捗情報を知らせることを実施する「生産過程通知」や、品質レベルが変更された場合に当該取引を継続するか否か問い合わせることを実施する「取引継続問合せ」、品質レベルが変更されたことで当該取引を中止する旨を通知することを実施する「取引中止（発注取消）」によって構成されている。また、品質レベルを示す情報は、本サーバ１で判定された、たとえば最高の「５」、最低の「１」とした五段階で構成されている。
したがって、品質レベル行為情報データベース１９０ａを利用して実施する当該品質レベルに対応する所定行為を導きだす場合、判定された品質レベルが「４」であれば、生産進捗情報を知らせることを実施し、同品質レベルが「３」であれば、当該取引を継続するか否か問い合わせることを実施し、同品質レベルが「２」または「１」であれば、当該取引を中止する旨を通知することを実施する。
【００９４】
また、図１０（ｂ）において、品質レベル行為情報データベース１９０ｂは、購入者を特定する情報と、品質レベル行為の種別を示す情報と、購入者ごとに前記品質レベル行為に対応する品質レベルを示す情報によって構成されている。前記購入者を特定する情報は、購入者を識別するために付与された固有の識別情報である購入者ＩＤである。前記品質レベル行為の種別を示す情報は、生産進捗情報を知らせることを実施する「生産過程通知」や、品質レベルが変更した場合に当該取引を継続するか否か問い合わせることを実施する「取引継続問合せ」、品質レベルが変更したことで当該取引を中止する旨を通知することを実施する「取引中止（発注取消）」によって構成されている。また、品質レベルを示す情報は、本サーバ１で判定された、たとえば最高の「５」、最低の「１」とした五段階で構成されている。
したがって、品質レベル行為情報データベース１９０ｂを利用して、実施する当該品質レベルに対応する所定行為を導きだす場合、判定された品質レベルが「４」であり、購入者ＩＤがＡ００１である購入者であれば、生産進捗情報を知らせることを実施し、同品質レベルが「３」であり、購入者ＩＤがＡ００１である購入者であれば、当該取引を継続するか否か問い合わせることを実施し、同品質レベルが「２」または「１」であり、購入者ＩＤがＡ００１である購入者であれば、当該取引を継続するか否か問い合わせることを実施し、同品質レベルが「２」または「１」であれば、当該取引を中止する旨を通知することを実施する。
【００９５】
また、図１０（ｃ）において、品質レベル行為情報データベース１９０ｃは、生産品を特定する情報と、品質レベル行為の種別を示す情報と、生産品ごとに前記品質レベル行為に対応する品質レベルを示す情報によって構成されている。前記生産品を特定する情報は生産品名である。前記品質レベル行為の種別を示す情報は、生産進捗情報を知らせることを実施する「生産過程通知」や、品質レベルが変更した場合に当該取引を継続するか否か問い合わせることを実施する「取引継続問合せ」、品質レベルが変更したことで当該取引を中止する旨を通知することを実施する「取引中止（発注取消）」によって構成されている。また、品質レベルを示す情報は、本サーバ１で判定された、たとえば最高の「５」、最低の「１」とした五段階で構成されている。
したがって、品質レベル行為情報データベース１９０ｃを利用して、実施する当該品質レベルに対応する所定行為を導きだす場合、判定された品質レベルが「４」であり、生産品名がメロンであれば、生産進捗情報を知らせることを実施し、同品質レベルが「３」であり、生産品名がメロンであれば、当該取引を継続するか否か問い合わせることを実施し、同品質レベルが「２」または「１」であり、生産品名がメロンであれば、当該取引を中止する旨を通知することを実施する。
【００９６】
以上によって、前記第三実施例の品質レベルの判定後に引き続き、品質レベルに基づく所定行為を実施する第四実施形態が完了する。これにより、品質レベル判定の結果、購入者が望む品質レベルと報告された品質レベルとに差が生じてしまった場合に、その差に対応して予め設定した適切な行為を効率良く導きだし、実施することが可能となる。
【００９７】
（第五実施形態）
また、本サーバ１は、上記第四実施形態に引き続き、品質レベルに基づいて導きだした実施行為情報は、品質レベル情報と共に前記商品情報記憶部ＤＢ９に登録される（（４２）参照）。商品情報データベースとしては、上述したとおり図１１にその一例を示すことができる。
本サーバ１は、前記品質レベルの判定の結果、実施行為情報として取引中止を示す発注取消情報が登録されると、引き続き前記商品情報記憶部ＤＢ９を参照して代替生産者又は代替購入者を検索する（（４３）参照）。具体的に、代替生産者の検索は、たとえば商品情報ＩＤとして取引ＩＤがそのまま使用されているのであれば、当該商品情報記憶部ＤＢ９を検索して発注取消情報が記憶された取引の取引ＩＤを抽出し、当該抽出した取引ＩＤに基づいて前記生産進捗情報記憶部ＤＢ６に記憶された生産進捗情報と、当該取引中止を示す発注取消情報が登録された取引の取引ＩＤに基づいて前記取引情報記憶部ＤＢ５が抽出した取引情報とを比較して品質レベルを判定し、さらに、前記品質レベル行為情報記憶部ＤＢ８を参照して前記品質レベルに伴う所定行為の設定が取引中止を示すものでない取引可能な相手を代替生産者として選択する。一方、代替購入者の場合も同様に選択する。
【００９８】
そして、本サーバ１は、代替購入者が選択された場合は、代替取引の可否を問合せる代替取引問合せ情報と共に、取引の中止によって取引相手である購入者がいなくなってしまった生産者等の生産進捗情報を前記代替購入者の購入者末に対して送信する（（４４Ａ）参照）。一方、代替生産者が選択された場合は、代替取引の可否を問合せる代替取引問合せ情報と共に、取引の中止によって取引相手である生産者等がいなくなってしまった購入者の取引情報を前記代替生産者等の生産者末に対して送信する（（４４Ｂ）参照）。
これにより、取引の中止によって取引相手である生産者等又は購入者がいなくなってしまった場合でも、他の取引の中止によって取引相手がいなくなってしまった生産者等又は購入者の中から適応する代替取引者を探し、諦めることなく新たな取引を発生させることが出来る。
【００９９】
（第六実施形態）
また、本サーバ１は、上記品質レベルの判定後、割引率情報記憶部ＤＢ１０を参照し、判定した該当する品質レベルに対応する割引率を算出するようにしても良い（（５１）参照）。前記割引率情報記憶部ＤＢ１０には、たとえば、品質レベルと割引率とを一意に結びつけた割引率情報データベースが記憶されている。
割引率情報データベースとしては、たとえば図１２にその一例を示すことができる。図１２において、割引率情報データベース２１０は、品質レベルを示す情報と、割引率を示す情報によって構成されている。前記品質レベルを示す情報は、本サーバ１で判定された、たとえば最高の「５」、最低の「１」とした五段階で構成されている。また、割引率を示す情報は、０％や１０％、３０％といった数値で構成されている。
したがって、割引率情報データベース２１０を利用して、当該品質レベルに対応する割引率を導きだす場合、判定された品質レベルが「４」であれば、割引率は０％なので生産予定情報に記憶された取引価格（販売希望価格）の割引無しに取引を実施し、同品質レベルが「３」であれば、割引率は１０％なので生産予定情報に記憶された取引価格から１０％を割引いて減額した額を算出して取引を実施し、同品質レベルが「２」であれば、割引率は３０％なので生産予定情報に記憶された取引価格から３０％を割引いて減額した額を算出して取引を実施する。なお、この割引率は、取引ごとに生産者等または購入者が任意に設定可能とするものとしても良い。
【０１００】
そして、本サーバ１は、割引率が算出されると、前記取引ＩＤに基づいて前記取引情報記憶部ＤＢ５より抽出した購入者ＩＤによって特定される当該購入者端末３へ、算出した割引率情報を送信する（（５２）参照）。
これにより、生産品の取引価格を生産進捗状況に基づき判定した品質レベルに応じた適切なものに修正し、取引がキャンセルされることなく、取引の継続を促すことが出来る。
【０１０１】
次に、以上のような構成による本サーバ１の基本的な動作の一例を、図２５乃至図２７を参照しながら説明する。図２５乃至図２７は、上記第一実施形態乃至第三実施形態を実施する本サーバ１での流れを示すフローチャートである。
図２５に示されるように、まず、生産者情報受付部１１が、生産者等端末３より送られた生産品情報を受け付けたか否か判断する（Ｓ１０）。前記生産品情報には、少なくとも生産者等が生産可能な生産品名情報が含まれている。
その結果、生産者等情報受付部１１が生産品情報を受け付けた場合（Ｙ）は、生産品情報と共に前記生産者等を特定する生産者ＩＤを受け付けているか否か判断する（Ｓ１１）。前記生産者ＩＤは、生産者等の名称（氏名）や住所、連絡先といった生産者属性情報の登録によって発行、付与されるものである。したがって、事前に生産者属性情報の登録を済ませている場合は、既に生産者ＩＤを有している。
【０１０２】
一方、生産者情報受付部１１が、生産品情報を受け付けていない場合（Ｎ）は、引き続き購入希望情報受付部１２が、購入者端末２より送られた購入希望情報を受け付けたか否か判断する（Ｓ２０）。前記購入希望情報には、少なくとも生産品名情報とその生産条件情報が含まれている。
また、生産者情報受付部１１が生産品情報と共に生産者ＩＤを受け付けているか否か判断した結果、生産者情報受付部１１が生産者ＩＤを受け付けている場合（Ｙ）は、受け付けた生産者ＩＤと生産品情報及び生産者属性情報とを関連付けて生産者情報記憶部ＤＢ１に記憶する（Ｓ１４）。
一方、生産者情報受付部１１が生産者ＩＤを受け付けていない場合（Ｎ）は、生産者属性の登録を求め、生産者端末３より生産者属性情報を受け付ける（Ｓ１２）。
そして、生産者属性情報を受け付けると、生産者情報受付部１１は生産者ＩＤを発行する（Ｓ１３）。
生産者情報受付部１１が生産者ＩＤを発行すると、前記生産者ＩＤと生産品情報及び生産者属性情報とを関連付けて生産者情報記憶部ＤＢ１に記憶する（Ｓ１４）。
【０１０３】
また、購入希望情報受付部１２が、購入希望情報を受け付けているか否か判断した結果、購入希望情報受付部１２が購入希望情報を受け付けている場合（Ｙ）は、購入希望情報と共に購入者ＩＤを受け付けているか否か判断する（Ｓ２１）。前記購入者ＩＤは、購入者の名称（氏名）や住所、連絡先といった購入者属性情報の登録によって発行、付与されるものである。したがって、事前に購入者属性情報の登録を済ませている場合や、本サーバ１において過去に取引の経験のある購入者は、既に購入者ＩＤを有している。
一方、購入希望情報受付部１２が購入希望情報を受け付けていない場合（Ｎ）は、引き続き生産依頼問合せ部１４が、生産者端末３より送られた生産予定情報、生産者ＩＤ及び依頼ＩＤを受け付けたか否か判断する（Ｓ３０）。前記生産予定情報には、生産条件の変更情報が含まれることもある。
また、購入希望情報受付部１２が購入希望情報と共に購入者ＩＤを受け付けているか否か判断した結果、購入希望情報受付部１２が購入者ＩＤを受け付けている場合（Ｙ）は、受け付けた購入者ＩＤ及び購入希望情報に対して依頼ＩＤを発行する（Ｓ２５）。
一方、購入希望情報受付部１２が購入者ＩＤを受け付けていない場合（Ｎ）は、購入者属性の登録を求め、購入者端末２より購入者属性を受け付ける（Ｓ２２）。
そして、購入者属性情報を受け付けると、購入希望情報受付部１２は購入者ＩＤを発行する（Ｓ２３）。
購入希望情報受付部１２が購入者ＩＤを発行すると、前記購入者ＩＤと購入者属性情報とを関連付けて購入者情報記憶部ＤＢ２に記憶する（Ｓ２４）。
また、購入者ＩＤを発行すると、購入希望情報受付部１２は、発行された購入者ＩＤと受け付けた購入希望情報に対して依頼ＩＤを発行する（Ｓ２５）。
【０１０４】
次に、購入希望情報受付部１２が依頼ＩＤを発行すると、購入希望情報受付部１２は、受け付けた購入希望情報と購入者ＩＤとを前記依頼ＩＤと関連付けて購入希望情報記憶部ＤＢ３に記憶する（Ｓ２６）。
また、依頼ＩＤを発行すると、生産可否問合せ部１３が前記生産者情報記憶部ＤＢ１を参照し、前記購入希望情報に含まれる生産品名情報に基づいた生産者情報データベース１１０に対する検索処理によって該当する生産者等を選択する（Ｓ２７）。なお、選択される生産者等の数は、必ずしも１名とは限らない。
該当する生産者等が選択されると、生産可否問合せ部１３は、当該生産者等の各生産者端末３に対して前記購入希望情報を送信し、生産の可否の問い合わせを行なう（Ｓ２８）。
【０１０５】
次いで、生産依頼問合せ部１４が、前記購入希望情報の送信に応じて生産者端末３から生産予定情報、生産者ＩＤ及び依頼ＩＤを受け付けたか否か判断し（Ｓ３０）、その結果、生産依頼問合せ部１４が生産予定情報等を受け付けている場合（Ｙ）は、生産依頼問合せ部１４が前記購入希望情報記憶部ＤＢ３を参照し、前記生産予定情報と共に受け付けた依頼ＩＤに基づいた前記購入希望情報データベース１３０に対する検索処理によって該当する購入者を特定し、当該生産予定情報と生産者ＩＤとを前記購入者端末２へ送信し、当該生産予定情報に基づく条件で生産を依頼するか否か問い合わせを行なう（Ｓ３１）。
一方、生産依頼問合せ部１４が生産予定情報等を受け付けていない場合（Ｎ）は、引き続き生産依頼部１５が、購入者端末２より送られた発注情報を受け付けたか否か判断する（Ｓ４０）。この際、前記発注情報と共に、購入者が生産物の生産を依頼する生産者等を特定する生産者ＩＤも受け付けられる。
そして、生産依頼問合せ部１４が生産予定情報等を受け付け、特定した購入者端末２への生産予定情報及び生産者ＩＤの送信が完了すると、前記生産者ＩＤと前記生産予定情報とを、前記依頼ＩＤ及び購入者ＩＤと関連付けて生産予定情報記憶部ＤＢ４に記憶する（Ｓ３２）。
【０１０６】
次いで、生産依頼部１５が、発注情報を受け付けているか否か判断した結果、生産依頼部１５が発注情報を受け付けている場合（Ｙ）は、生産依頼部１５は当該取引を特定する取引ＩＤを発行すると共に、当該取引ＩＤや前記生産予定情報を含む取引成立情報を前記生産者端末３へ送信して生産品の生産を依頼する（Ｓ４１）。
一方、生産依頼部１５が発注情報を受け付けていない場合（Ｎ）は、引き続き生産進捗情報受付部１６が、生産者端末３より送られた生産進捗情報と取引ＩＤとを受け付けたか否か判断する（Ｓ５０）。前記生産進捗情報には、生産予定の変更情報が含まれることもある。
そして、生産依頼部１５が取引ＩＤを発行すると、発注情報と共に受け付けた生産者ＩＤに基づいて前記生産予定情報記憶部ＤＢ４より抽出した生産予定情報及び購入者ＩＤと、前記取引ＩＤとを関連付けて取引情報記憶部ＤＢ５に記憶する（Ｓ４２）。
【０１０７】
次いで、生産進捗情報受付部１６が、生産進捗情報と取引ＩＤとを受け付けているか否か判断した結果、生産進捗情報受付部１６が生産進捗情報と取引ＩＤを受け付けている場合（Ｙ）は、進捗状況報告部１７が前記取引情報記憶部ＤＢ５を参照し、受け付けた取引ＩＤに基づいた前記取引情報データベース１５０に対する検索処理によって該当する購入者を特定し、前記生産進捗情報と取引ＩＤとを前記購入者端末２へ送信して生産品の進捗状況を報告する（Ｓ５１）。
一方、生産進捗情報受付部１６が生産進捗情報と取引ＩＤを受け付けていない場合（Ｎ）は、引き続き商品情報報告部２０が、購入者端末２又は生産者端末３より送られた商品情報ＩＤを受け付けたか否か判断する（Ｓ８０）。
そして、該当購入者端末２へ生産進捗情報と取引ＩＤとが送信されると、取引ＩＤと生産進捗情報とを関連付けて生産進捗情報記憶部ＤＢ６に記憶する（Ｓ５２）。
【０１０８】
ここで、生産進捗情報受付部１６での生産進捗情報の受け付けは、前記取引成立情報の送付後、生産進捗状況問合せ部１８が前記取引情報記憶部ＤＢ５を参照し、前記取引ＩＤに基づいた前記取引情報データベース１５０に対する検索処理によって所定の時期に生産進捗状況を前記生産者端末３に対して問い合わせる生産進捗状況問合せ情報を送信し、これに応じて受け付けるようにしても良い（Ｓ４３）。
【０１０９】
また、生産進捗情報受付部１６が生産進捗情報を受け付けると、品質レベル判定部１９が、前記生産進捗情報記憶部ＤＢ６を参照し、前記生産進捗情報と共に受け付けた取引ＩＤに基づいた生産進捗情報データベース１６０に対する検索処理によって該当する生産予定情報を抽出する。次いで、抽出した生産予定情報と前記生産進捗情報とを比較し、生産予定情報に示される項目ごとに遵守状況を判定する判定基準情報を予め記憶する判定基準情報記憶部ＤＢ７を参照して、品質レベルを判定する（Ｓ５３）。
そして、品質レベル判定部１９が品質レベルを判定すると、判定された前記品質レベル情報を含む生産進捗情報を商品情報として商品情報記憶部ＤＢ９に記憶する（Ｓ５４）。この際、商品情報は、前記商品情報が商品情報記憶部ＤＢ９に記憶されることに伴って新たに発行される商品情報ＩＤ、もしくは取引ＩＤをそのまま使用した商品情報ＩＤに関連付けて記憶する。
また、前記商品情報記憶部ＤＢ９に新たに商品情報を登録すると、商品情報報告部２０が、当該商品情報ＩＤを抽出する（Ｓ５５）。
そして、商品情報報告部２０は、前記生産進捗情報と共に受け付けた取引ＩＤに基づいた取引情報データベース１５０に対する検索処理によって該当する生産者等を特定し、当該生産者端末３へ前記商品情報ＩＤと共に品質レベル情報を送信する（Ｓ５６）。
【０１１０】
生産者側では、本サーバ１より送られた前記商品情報ＩＤと品質レベル情報を生産者端末３にて受信し、受信した品質レベル情報に基づいて商品情報ラベル用の台紙を選択し、当該台紙に、前記生産者端末３にて受信した品質レベル情報や商品情報ＩＤを含む所定のラベル用商品情報を印刷する。次いで、生産者等は、前記所定のラベル用商品情報が印刷された商品情報ラベルを、当該生産品または当該生産品を収容する商品容器等の外面に貼付し、この商品を購入者へ販売する。
【０１１１】
その後、商品情報報告部２０が、前記生産品を購入した購入者の購入者端末２より送られた商品情報ＩＤを受け付けたか否か判断した結果、商品情報報告部２０が商品情報ＩＤを受け付けている場合（Ｙ）は、商品情報報告部２０は商品情報ＤＢ９を参照し、受け付けた商品情報ＩＤに基づいた前記商品情報データベース２００に対する検索処理によって該当する商品情報を抽出する（Ｓ８２）。
一方、商品情報報告部２０が商品情報ＩＤを受け付けていない場合（Ｎ）は、再度、生産者情報受付部１１が、生産者端末３より送られた生産品情報を受け付けたか否か判断を繰り返す（Ｓ１０）。
そして、商品情報報告部２０が商品情報を抽出すると、当該商品情報を前記購入者端末２又は生産者端末３へ送信し、購入者端末２上に商品情報を開示する（Ｓ８３）。これにより、本サーバ１での基本的な一連の動作は終了（エンド）する。
【０１１２】
また、本サーバ１では、品質レベルの判定後に、品質レベルに基づく所定行為を実施したり、引き続き所定行為の実施に伴って取引が中止され取引相手がいなくなった後に、代替取引者を探して代替取引の問合せを行ったりすることも出来る。図２８は、前記第四実施形態及び第五実施形態を実施する本サーバ１での流れを示すフローチャートである。
図２８に示されるように、品質レベルの判定（Ｓ５３）後、品質レベル行為実施部２２が、前記品質レベル行為情報記憶部ＤＢ８を参照し、判定された品質レベル情報に基づいて該当する品質レベルに対して設定された所定の行為情報を導きだし、これを実施する（Ｓ６１）。前記所定の行為情報は、品質レベル行為設定情報受付部２１が、品質レベルごとに実施する所定の行為情報の設定を予め受け付けるものであっても良い。
次いで、品質レベル行為実施部２２が所定の行為を導き出すと、当該行為情報を前記取引ＩＤと関連付けて商品情報記憶部ＤＢ９に記憶する（Ｓ６２）。
【０１１３】
また、前記品質レベル行為実施部２２が所定の行為情報を導き出した結果、前記商品情報記憶部ＤＢ９に取引中止を示す発注取消情報が記憶される場合、代替者選択部２３が、当該商品情報記憶部ＤＢ９を参照し、前記発注取消情報に基づいた前記商品情報データベース２００に対する検索処理によって該当する商品情報を抽出する。次いで、代替者選択部２３が、前記発注取消情報が記憶された商品情報に含まれる生産品名情報に基づいた前記商品情報データベース２００に対する検索処理によって該当する商品情報を抽出する。さらに、当該抽出した商品情報に含まれる商品情報ＩＤとして取引ＩＤがそのまま使用されているのであれば、代替者選択部２３が、当該取引ＩＤに基づいて前記取引情報記憶部ＤＢ５を検索して生産予定情報と、当該取引ＩＤに基づいて前記取引情報記憶部ＤＢ５を検索して生産予定情報とを抽出し、当該生産予定情報と生産進捗情報とを比較によって取引可能な身代わり生産者等または身代わり購入者を選択する（Ｓ６３）。この際、取引可能な身代わり生産者等または身代わり購入者の選択には、代替者選択部２３での単純な比較によらず、品質レベル判定部１９で導き出した品質レベル情報や、品質レベル行為実施部２２で導き出した品質レベル行為情報を用いて行なっても良い。
そして、代替購入者が選択された場合、代替者選択部２３は、代替購入者の購入者端末２に対して生産進捗情報を送信し、また、代替生産者選択された場合、代替者選択部２３は、代替生産者の生産者端末３に対して取引情報を送信することで、取引実施の問合せを行う（Ｓ６４）。
【０１１４】
また、本サーバ１では、品質レベル判定後に、品質レベルに伴う割引率を算出することも出来る。図２９は、前記第六実施形態を実施する本サーバ１での流れを示すフローチャートである。
図２９に示されるように、品質レベルの判定（Ｓ５３）後、割引率算出部２４が、前記品質レベル判定部１９で判定された品質レベル情報に応じて、品質レベル情報と販売希望価格の割引率情報とを関連付けて記憶する割引率情報記憶部ＤＢ１０を参照し、当該品質レベル情報に対応する割引率を算出する（Ｓ７１）。
次いで、割引率算出部２４が割引率を算出すると、割引率情報報告部２５が、前記生産進捗情報受付部１６で受け付けた取引ＩＤに基づいて前記取引情報記憶部ＤＢ５より抽出した購入者ＩＤによって特定される当該購入者端末２へ前記割引率情報を送信する（Ｓ７２）。
【０１１５】
以上説明したように本願発明によれば、購入者が先に取引条件を提示し、これに見合う生産品の生産が可能な生産者が応札することになるので、たとえば、生産地を重視して生産品の購入を希望する者や、生産方法（たとえば、農作物であれば有機栽培や無為農薬異栽培）を重視して生産品の購入を希望する者、味を重視して生産品の購入を希望する者、といった様々な購入者の要望に応えた生産品の取引を行うことが出来る。
また、それぞれ重視する項目や基準が異なるので、購入者がデパートやスーパーなどの小売店である場合、たとえば、Ａ店のゴールド商品とＢ店のシルバー商品とは品質が同等であるとか、Ａ店の１，０００円ゴールド商品はＣ店の１，５００円ゴールド商品より品質が高いとか、Ａ店は安全性を重視し、Ｂ店は味を重視し、Ｃ店は見栄えを重視している、等いったような各販売店での特長が現れ、消費者のこだわりによって好みの生産品を購入することが出来る。
また、それぞれのこだわりの違いによって、基準を重視する項目が異なってくるので、Ａ者から見れば一つの項目が基準値を下回ってしまったことにより取引を取り消した場合であっても、Ｂ者から見れば十分基準を満たしていることによって、代わりの取引相手を探して新たな取引を成立させることが可能となる。しかも、生産途中の状況を報告することによって、万一、生産途中で取引が取り消されてしまった場合でも、広く代わりの取引相手を探すことが可能となり、生産品が鮮度を重視する農産物等の場合に非常に有効な取引手段となる。
【実施例２】
【０１１６】
次に本発明に係る第２の実施例について説明する。既にした説明と異なる点を主に説明する。図３０は本願発明に係る本サーバ１ａの別の実施形態を概略的に示す全体構成図である。図３０に示すように、本サーバ１ａは実施例１に示した本サーバ１と同様に各端末、装置と通信ネットワークＮＷを介して通信することができる情報処理装置であり、評価処理端末４は判定基準情報記憶部ＤＢ７ａ、品質レベル行為記憶部ＤＢ８ａ、品質レベル判定部１９ａ、商品情報報告部２０ａ、品質レベル行為設定情報受付部２１ａ、品質レベル行為実施部２２ａを具備し、本サーバ１ａと通信可能な端末である。
【０１１７】
判定処理装置４が具備する判定基準情報記憶部ＤＢ７ａは、生産予定情報に示される項目ごとに遵守状況を判定する判定基準情報を予め記憶する。判定基準情報は、例えば、生産予定情報が有する情報項目に対応する項目を設けて、各項目に当該項目に示される条件が遵守されているか否かを検出することによって品質レベルを決定できる情報群である。他の例では、生産予定情報が有する情報項目ごとに遵守した（条件に合致した）場合には、重み付けを行うスコアを記憶しておき、各項目の合致数とこのスコアを乗算した結果を遵守率として合計し、合計した値によって合致する品質レベルを決定できる情報群である。
【０１１８】
また、品質レベル行為情報記憶部ＤＢ８ａは、品質レベル行為設定情報受付部２１ａで受け付けた品質レベルごとに実施する所定行為の設定情報を記憶する。
前記品質レベルごとに実施する所定行為の設定情報としては、たとえば、品質レベルと所定行為とを一意に結びつけるものや、購入者ごとに品質レベルと所定行為を設定するもの、商品（生産品）ごとに品質レベルと所定行為を設定するもの、が挙げられる。
【０１１９】
本サーバ１ａが具備する生産進捗情報受付部１６は、生産進捗情報と当該生産進捗情報と共に生産進捗情報記憶部ＤＢ６に記憶した取引ＩＤに基づいて前記取引情報記憶部ＤＢ５より抽出した生産予定情報とを図示しない通信手段を介して評価処理端末４に送信する。
【０１２０】
上記情報を受信した判定処理端末４の品質レベル判定部１９ａは、上記生産進捗情報と生産予定情報とを比較して判定基準情報記憶部ＤＢ７ａを参照して品質レベルを判定する処理を行なう。この品質レベル判定部１９ａでの品質レベルの判定は、例えば前記生産進捗情報に示される項目ごとに前記生産予定情報に示される項目が示す情報をそれぞれ比較し合致度合いによって遵守レベルを判定する。全ての項目について判定が完了した後、前記判定基準情報記憶部ＤＢ７ａの上記項目に対応する品質レベル判定条件を参照し、全ての項目について判定が完了した後に、合致している（遵守している）項目の数によって遵守率を算定し、この遵守率によって品質レベル行為情報記憶部ＤＢ８ａを参照して品質レベルの判定を行う。
【０１２１】
上記判定処理によって算出した品質レベル情報を含む進捗進捗情報を、商品情報報告部２０ａは、商品情報として本サーバ１ａに送信すと共に、本サーバ１ａの商品情報記憶部ＤＢ９から商品ＩＤを抽出し、当該商品情報ＩＤを、前記取引ＩＤに基づいて本サーバー１ａの取引情報記憶部ＤＢ５より抽出した生産者ＩＤを受け取り、この生産ＩＤによって特定される当該生産者端末３へ報告する処理を行なう。
【０１２２】
品質レベル行為設定情報受付部２１ａは、前記品質レベルごとに実施する所定行為の設定情報を予め受け付ける処理を行なう。
所定行為の設定とは、たとえば、品質レベルが○であったら所定行為Ａ、品質レベルが△であったら所定行為Ｂ、品質レベルが×であったら所定行為Ｃといったような、各レベルと各所定行為との組合せを指定することをいう。そして、受け付けられた設定情報は、品質レベル行為情報記憶部ＤＢ８ａに記憶される。
また、前記所定の行為としては、たとえば、前記進捗情報報告とは別に、前記品質レベルと前記生産進捗情報とを前記購入者端末２へ送信して前記品質レベルが変更したことを通知するものや、前記品質レベル情報及び前記生産進捗情報と共に、生産継続確認情報を前記購入者端末２へ送信して当該取引を継続するか否か問い合わせるもの、前記品質レベル情報及び前記生産進捗情報と共に、発注取消情報を前記購入者端末へ送信して発注を取り消した旨を通知するもの、などが挙げられる。
【０１２３】
品質レベル行為実施部２２ａは、前記品質レベル判定部１９ａで判定された品質レベルに基づいて前記品質レベル行為情報記憶部ＤＢ８ａを参照し、前記品質レベル行為設定情報受付部２１ａにて設定された該当する品質レベルに対応する所定の行為を実施する処理を行なう。これにより、購入者が望む品質レベルと報告された品質レベルとに差が生じてしまった場合に、その差に対応した適切な行為を効率良く行なうことが可能となる。
【０１２４】
また、評価処理端末４はプリンタ３ａを用いて上記判定情報を当該商品ＩＤと共に印刷する機能を有する。これにより、当該商品に付すことができる品質ラベルを容易に得ることができる。
【実施例３】
【０１２５】
次に本発明に係る第３の実施例について説明する。既にした説明と異なる点を主に説明する。既に説明した実施例１及び実施例２において、生産者端末３が図示しない映像撮影手段と、音声記録手段をさらに具備し、生産者が当該手段を用いて消費者が依頼した生産物等の画像等を記録し、生産進捗情報に含めるようにしてもよい。また、生産端末の上記映像撮影手段、音声記録手段を用いて、生鮮品の実画像等を購入者端末に配信し、当該画像を表示する購入者端末２は、画像の表示と同時に、当該生鮮品の購買処理を行う用に構成してもよい。このように構成することにより、本発明に係る情報処理装置を用いてリアルタイムに生鮮品の購入を行うことができるようになる。
【産業上の利用可能性】
【０１２６】
本願発明は、購入者と生産者等との間で生産物の取引を仲介するようにした情報処理に適用できる。
【図面の簡単な説明】
【０１２７】
【図１】本願発明に係る情報処理装置（サーバ）の一実施形態を示すネットワーク構成図である。
【図２】本願発明に係る情報処理装置が備える生産者情報データベース構造の一例である。
【図３】本願発明に係る情報処理装置が備える購入者情報データベース構造の一例である。
【図４】本願発明に係る情報処理装置が備える購入希望情報データベース構造の一例である。
【図５】本願発明に係る情報処理装置が備える生産予定情報データベース構造の一例である。
【図６】本願発明に係る情報処理装置が備える取引情報データベース構造の一例である。
【図７】本願発明に係る情報処理装置が備える生産進捗情報データベース構造の一例である。
【図８】本願発明に係る情報処理装置が備える組合せ判定基準情報データベース構造の一例である。
【図９】本願発明に係る情報処理装置が備える遵守率判定基準情報データベース構造の一例である。
【図１０】本願発明に係る情報処理装置が備える品質レベル情報データベース構造の一例である。
【図１１】本願発明に係る情報処理装置が備える商品情報データベース構造の一例である。
【図１２】本願発明に係る情報処理装置が備える割引率情報データベース構造の一例である。
【図１３】本願発明の実施形態に係る第一実施形態、及び第二実施形態の処理の流れを示すシーケンス図である。
【図１４】本願発明の実施形態に係る第三実施形態の処理の流れを示すシーケンス図である。
【図１５】本願発明の実施形態に係る第四実施形態、第五実施形態、及び第六実施形態の処理の流れを示すシーケンス図である。
【図１６】本願発明の実施形態に係る購入希望情報入力画面の一例を示す図である。
【図１７】本願発明の実施形態に係る生産予定情報入力画面の一例を示す図である。
【図１８】本願発明の実施形態に係る生産予定情報閲覧画面の一例を示す図である。
【図１９】本願発明の実施形態に係る発注情報閲覧画面の一例を示す図である。
【図２０】本願発明の実施形態に係る生産進捗情報入力画面の一例を示す図である。
【図２１】本願発明の実施形態に係る生産進捗情報閲覧画面の一例を示す図である。
【図２２】本願発明の実施形態に係る（ａ）商品情報ラベルの一例を示す図、（ｂ）商品情報ラベルが貼付された商品の一例を示す図である。
【図２３】本願発明の実施形態に係る商品情報ＩＤ入力画面の一例を示す図である。
【図２４】本願発明の実施形態に係る商品情報閲覧画面の一例を示す図である。
【図２５】本願発明の実施形態に係る情報処理の一例を示すフローチャートである。
【図２６】[図２５]に示す購入希望情報を受信しない場合の情報処理の一例を引き続き示すフローチャートである。
【図２７】[図２６]に示す生産進捗情報を受信しない場合の情報処理の一例を引き続き示すフローチャートである。
【図２８】[図２６]に示す品質レベル判定後に引き続く他の情報処理の一例を示すフローチャートである。
【図２９】[図２６]に示す品質レベル判定後に引き続く他の情報処理の一例を示すフローチャートである。
【図３０】本願発明に係る情報処理装置（サーバ）の別の実施形態を示すネットワーク構成図である。
【符号の説明】
【０１２８】
ＮＷ・・・通信ネットワーク、Ｌ１０・・・商品情報ラベル、Ｇ１０・・・商品（生産品）、１・・・情報処理サーバ、２・・・購入者端末、３・・・生産者端末、１１・・・生産者情報受付部、１２・・・購入希望情報受付部、１３・・・生産可否問合せ部、１４・・・生産依頼問合せ部、１５・・・生産依頼部、１６・・・生産進捗情報受付部、１７・・・進捗情報報告部、１８・・・生産進捗状況問合せ部、１９・・・品質レベル判定部、２０・・・商品情報報告部、２１・・・品質レベル行為設定情報受付部、２２・・・品質レベル行為実施部、２３・・・代替者選択部、２４・・・割引率算出部、２５・・・割引率情報報告部。
【図１】
2007164445.tif 000003
【図２】
2007164445.tif 000004
【図３】
2007164445.tif 000005
【図４】
2007164445.tif 000006
【図５】
2007164445.tif 000007
【図６】
2007164445.tif 000008
【図７】
2007164445.tif 000009
【図８】
2007164445.tif 000010
【図９】
2007164445.tif 000011
【図１０】
2007164445.tif 000012
【図１１】
2007164445.tif 000013
【図１２】
2007164445.tif 000014
【図１３】
2007164445.tif 000015
【図１４】
2007164445.tif 000016
【図１５】
2007164445.tif 000017
【図１６】
2007164445.tif 000018
【図１７】
2007164445.tif 000019
【図１８】
2007164445.tif 000020
【図１９】
2007164445.tif 000021
【図２０】
2007164445.tif 000022
【図２１】
2007164445.tif 000023
【図２２】
2007164445.tif 000024
【図２３】
2007164445.tif 000025
【図２４】
2007164445.tif 000026
【図２５】
2007164445.tif 000027
【図２６】
2007164445.tif 000028
【図２７】
2007164445.tif 000029
【図２８】
2007164445.tif 000030
【図２９】
2007164445.tif 000031
【図３０】
2007164445.tif 000032
【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
購入者が利用する購入者端末と生産者が利用する生産者端末とに通信ネットワークを介してそれぞれ接続され、購入者が希望する生産品の取引の支援と当該生産品の安全性判定処理を支援する情報処理装置であって、
生産者を特定する生産者識別情報、購入者を特定する購入者識別情報、前記購入者が前記生産者に生産を依頼した生産品の生産品名とこの生産品に対する生産条件を含む生産予定情報、前記購入者が前記生産品の購入を発注した取引を特定する取引識別情報を関連付けて記憶する取引情報記憶手段と、
前記取引が特定した生産品の生産進捗状況と前記生産予定情報に含まれた生産条件に対して生じた変更を含む生産進捗情報を前記取引識別情報と共に前記生産者端末から受け付ける生産進捗情報受付手段と、
前記生産進捗情報受付手段が受信した生産進捗情報と前記取引識別情報を関連付けて記憶する生産進捗情報記憶手段と、
前記生産予定情報に含まれた生産条件ごとに遵守状況を判定する判定基準情報を予め記憶する判定基準情報記憶手段と、
前記生産進捗情報と、前記取引情報記憶手段に記憶された生産予定情報を比較し、前記判定基準情報記憶手段を参照して品質レベルを判定する品質レベル判定手段と、
上記品質レベル判定手段によって判定される品質レベル毎に関連付けて当該情報処理装置が実施する処理を指定する行為情報を記憶する品質レベル行為情報記憶手段と、
前記品質レベル判定手段で判定された品質レベル情報に基づいて前記品質レベル行為情報記憶手段を参照し、該当する品質レベル情報に関連付いている行為情報を読み出して、この行為情報が指定する処理を実施する品質レベル行為実施手段と、
前記読み出された行為情報と上記取引識別情報とを関連付けて記憶する商品情報記憶手段と、
前記行為情報が取引中止を示す発注取消情報である場合、当該商品情報記憶手段を検索して前記行為情報と同じ取引中止を含んでいる他の取引識別情報を抽出し、抽出した取引識別情報に関連づいている生産予定情報を前記取引情報記憶手段から抽出し、前記抽出した取引情報に基づいている生産進捗情報を生産進捗情報記憶手段から抽出し、この生産予定情報と生産進捗情報を用いて前記品質判定手段による品質レベル情報を生成し、この生成した品質レベル情報に対応する品質レベル行為情報記憶手段に記憶されている行為情報が取引中止を示す発注取消情報ではない購入者識別情報を抽出する代替者選択手段と、を有することを特徴とする情報処理装置。
【請求項２】
上記代替者選択手段は、抽出した購入識別情報に関連付いて記憶されている購入者端末に対して、前記商品情報を送信するものであることを特徴とする請求項１記載の情報処理装置。
【請求項３】
購入者が利用する購入者端末と生産者が利用する生産者端末とに通信ネットワークを介してそれぞれ接続され、購入者が希望する生産品の取引を支援し、合わせて、当該生産品の安全性判定処理を支援する情報処理装置であって、
生産者を特定する生産者識別情報、購入者を特定する購入者識別情報、前記購入者が前記生産者に生産を依頼した生産品の生産品名、生産条件を含む生産予定情報、前記購入者が前記生産品の購入を発注した取引を特定する取引識別情報を関連付けて記憶する取引情報記憶手段と、
前記取引が特定した生産品の生産中に生産進捗状況と前記生産予定情報に含まれる生産条件に対して生じた変更を報告する生産進捗情報を前記取引識別情報と共に前記生産者端末から受け付ける生産進捗情報受付手段と、
前記生産進捗情報受付手段が受信した生産進捗情報と前記取引識別情報とを関連付けて記憶する生産進捗情報記憶手段と、
前記生産予定情報に示される項目ごとに遵守状況を判定する判定基準情報を予め記憶する判定基準情報記憶手段と、
前記生産進捗情報に示される項目と、前記取引情報記憶手段に記憶された生産予定情報に含まれる生産条件とを比較し、前記判定基準情報記憶手段を参照して品質レベルを判定する品質レベル判定手段と、
上記品質レベル判定手段によって判定される品質レベル毎に関連付けて当該情報処理装置が実施する処理を指定する行為情報を記憶する品質レベル行為情報記憶手段と、
前記品質レベル判定手段で判定された品質レベル情報に基づいて前記品質レベル行為情報記憶手段を参照し、該当する品質レベル情報に関連付いている行為情報を読み出して、この行為情報が指定する処理を実施する品質レベル行為実施手段と、
前記読み出された行為情報と上記取引識別情報とを関連付けて記憶する商品情報記憶手段と、
前記行為情報が取引中止を示す発注取消情報である場合、当該商品情報記憶手段を検索して前記行為情報と同じ取引中止を含んでいる他の取引識別情報を抽出し、抽出した取引識別情報に関連づいている生産予定情報を前記取引情報記憶手段から抽出し、前記抽出した生産予定情報に基づいている生産者識別情報を生産予定情報記憶手段から抽出する代替者選択手段と、を有することを特徴とする情報処理装置。
【請求項４】
上記代替者選択手段は、抽出した生産者識別情報に関連付いて記憶されている生産者端末に対して、前記取引情報を送信するものであることを特徴とする請求項３記載の情報処理装置。
【請求項５】
上記判定基準情報記憶手段は、生産予定情報に含まれる生産条件において遵守されている条件と遵守されていない条件の組み合わせによって品質レベルを決定するための判定基準情報を予め記憶し、
上記品質レベル判定手段は、上記生産進捗情報に含まれている生産条件の変更情報と、上記生産予定情報に含まれている生産条件とを比較し、各条件の全ての項目について比較を完了した後に、前記判定基準情報記憶手段を参照して比較結果に該当する品質レベルを判定するものであることを特徴とする請求項１乃至４のいずれかに記載の情報処理装置。
【手続補正２】
【補正対象書類名】明細書
【補正対象項目名】０００９
【補正方法】変更
【補正の内容】
【０００９】
本願発明の情報処理装置は、購入者が利用する購入者端末と生産者が利用する生産者端末とに通信ネットワークを介してそれぞれ接続され、購入者が希望する生産品の取引の支援と当該生産品の安全性判定処理を支援する情報処理装置であって、生産者を特定する生産者識別情報、購入者を特定する購入者識別情報、前記購入者が前記生産者に生産を依頼した生産品の生産品名とこの生産品に対する生産条件を含む生産予定情報、前記購入者が前記生産品の購入を発注した取引を特定する取引識別情報を関連付けて記憶する取引情報記憶手段と、前記取引が特定した生産品の生産進捗状況と前記生産予定情報に含まれた生産条件に対して生じた変更を含む生産進捗情報を前記取引識別情報と共に前記生産者端末から受け付ける生産進捗情報受付手段と、前記生産進捗情報受付手段が受信した生産進捗情報と前記取引識別情報を関連付けて記憶する生産進捗情報記憶手段と、前記生産予定情報に含まれた生産条件ごとに遵守状況を判定する判定基準情報を予め記憶する判定基準情報記憶手段と、前記生産進捗情報と、前記取引情報記憶手段に記憶された生産予定情報を比較し、前記判定基準情報記憶手段を参照して品質レベルを判定する品質レベル判定手段と、上記品質レベル判定手段によって判定される品質レベル毎に関連付けて当該情報処理装置が実施する処理を指定する行為情報を記憶する品質レベル行為情報記憶手段と、前記品質レベル判定手段で判定された品質レベル情報に基づいて前記品質レベル行為情報記憶手段を参照し、該当する品質レベル情報に関連付いている行為情報を読み出して、この行為情報が指定する処理を実施する品質レベル行為実施手段と、前記読み出された行為情報と上記取引識別情報とを関連付けて記憶する商品情報記憶手段と、前記行為情報が取引中止を示す発注取消情報である場合、当該商品情報記憶手段を検索して前記行為情報と同じ取引中止を含んでいる他の取引識別情報を抽出し、抽出した取引識別情報に関連づいている生産予定情報を前記取引情報記憶手段から抽出し、前記抽出した取引情報に基づいている生産進捗情報を生産進捗情報記憶手段から抽出し、この生産予定情報と生産進捗情報を用いて前記品質判定手段による品質レベル情報を生成し、この生成した品質レベル情報に対応する品質レベル行為情報記憶手段に記憶されている行為情報が取引中止を示す発注取消情報ではない購入者識別情報を抽出する代替者選択手段と、を有することを特徴とする。
【手続補正３】
【補正対象書類名】明細書
【補正対象項目名】００１０
【補正方法】変更
【補正の内容】
【００１０】
また、本願発明は、前記情報処理装置に加えて、上記代替者選択手段は、抽出した購入識別情報に関連付いて記憶されている購入者端末に対して、前記商品情報を送信するものであることをさらに有するものとしても良い。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
本願発明の情報処理装置は、購入者が利用する購入者端末と生産者が利用する生産者端末とに通信ネットワークを介してそれぞれ接続され、購入者が希望する生産品の取引を支援し、合わせて、当該生産品の安全性判定処理を支援する情報処理装置であって、生産者を特定する生産者識別情報、購入者を特定する購入者識別情報、前記購入者が前記生産者に生産を依頼した生産品の生産品名、生産条件を含む生産予定情報、前記購入者が前記生産品の購入を発注した取引を特定する取引識別情報を関連付けて記憶する取引情報記憶手段と、前記取引が特定した生産品の生産中に生産進捗状況と前記生産予定情報に含んだ生産条件に対して生じた変更を報告する生産進捗情報を前記取引識別情報と共に前記生産者端末から受け付ける生産進捗情報受付手段と、前記生産進捗情報受付手段が受信した生産進捗情報と前記取引識別情報とを関連付けて記憶する生産進捗情報記憶手段と、前記生産予定情報に示される項目ごとに遵守状況を判定する判定基準情報を予め記憶する判定基準情報記憶手段と、前記生産進捗情報に示される項目と、前記取引情報記憶手段に記憶された生産予定情報に含まれる生産条件とを比較し、前記判定基準情報記憶手段を参照して品質レベルを判定する品質レベル判定手段と、上記品質レベル判定手段によって判定される品質レベル毎に関連付けて当該情報処理装置が実施する処理を指定する行為情報を記憶する品質レベル行為情報記憶手段と、前記品質レベル判定手段で判定された品質レベル情報に基づいて前記品質レベル行為情報記憶手段を参照し、該当する品質レベル情報に関連付いている行為情報を読み出して、この行為情報が指定する処理を実施する品質レベル行為実施手段と、前記読み出された行為情報と上記取引識別情報とを関連付けて記憶する商品情報記憶手段と、前記行為情報が取引中止を示す発注取消情報である場合、当該商品情報記憶手段を検索して前記行為情報と同じ取引中止を含んでいる他の取引識別情報を抽出し、抽出した取引識別情報に関連づいている生産予定情報を前記取引情報記憶手段から抽出し、前記抽出した生産予定情報に基づいている生産者識別情報を生産予定情報記憶手段から抽出する代替者選択手段と、を有することを特徴とする。
【手続補正７】
【補正対象書類名】明細書
【補正対象項目名】００１４
【補正方法】変更
【補正の内容】
【００１４】
また、上記代替者選択手段は、抽出した生産者識別情報に関連付いて記憶されている生産者端末に対して、前記取引情報を送信するものであることを特徴としても良い。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
また、本願発明は、上記の情報処理装置において、上記判定基準情報記憶手段は、生産予定情報に含まれる生産条件において遵守されている条件と遵守されていない条件の組み合わせによって品質レベルを決定するための判定基準情報を予め記憶し、上記品質レベル判定手段は、上記生産進捗情報に含まれている生産条件の変更情報と、上記生産予定情報に含まれている生産条件とを比較し、各条件の全ての項目について比較を完了した後に、前記判定基準情報記憶手段を参照して比較結果に該当する品質レベルを判定するものであることを特徴としてもよい。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】変更
【補正の内容】
【００２４】
本願発明は、品質レベル行為設定情報受付手段と品質レベル行為情報記憶手段と品質レベル行為実施手段とをさらに有するので、前記品質レベル判定手段で品質レベルが判定されることに伴って前記品質レベル行為情報記憶手段を参照し、予め該当する品質レベルに対して設定された所定の行為を前記品質レベル行為実施手段によって実施することが出来る。これにより、購入者が望む品質レベルと報告された品質レベルとに差が生じてしまった場合に、その差に対応した適切な行為を効率良く行なうことが可能となる。
【手続補正１８】
【補正対象書類名】明細書
【補正対象項目名】００２８
【補正方法】変更
【補正の内容】
【００２８】
図１は、本願発明に係る情報処理装置（以下、「本サーバ」という）１の実施形態を概略的に示す全体構成図である。
図１に示すように、本サーバ１は、購入者が利用する購入者端末２と、生産者等が利用する生産者端末３のそれぞれと通信ネットワークＮＷを介して接続され、購入者が希望する生産品の取引を支援する装置である。
通信ネットワークＮＷの例としては、インターネットやＬＡＮなどのコンピュータ通信網がある。本サーバ１、端末２，３は、専用線、公衆交換電話網（ＰＳＴＮ）、無線電話網、ＣＡＴＶ網、衛星通信網等の通信回線を介して通信ネットワークＮＷと接続している。
【手続補正１９】
【補正対象書類名】明細書
【補正対象項目名】００８６
【補正方法】変更
【補正の内容】
【００８６】
そして、本サーバ１は、品質レベルの判定後、判定された前記品質レベル情報を含む生産進捗情報を商品情報として商品情報記憶部ＤＢ９に登録し、商品情報データベースを作成する（（２２）参照）。商品情報データベースとしては、たとえば図１１にその一例を示すことができる。図１１において、商品情報データベース２００は、たとえば商品情報ＩＤと、生産進捗情報と共に受け付けた取引ＩＤに基づき前記取引情報記憶部ＤＢ５より抽出した購入者ＩＤ、生産者ＩＤ、生産品名、生産地や農薬とった商品情報、品質レベルなどによって構成されている。作成された商品情報データベース２００は、商品情報記憶部ＤＢ９に記憶される。前記商品情報ＩＤは、前記商品情報が商品情報記憶部ＤＢ９に記憶されることに伴って新たに発行するものであっても良いし、取引ＩＤをそのまま使用しても良い。図１１に示す商品情報データベース２００では、Ｔ０１０という今までの取引ＩＤに代えて新たにＮ１０１という商品情報ＩＤが付与されている。なお、図１１に示す商品情報データベース２００には、取引状況の項目が設けられているが、この説明は後述する。
【手続補正２０】
【補正対象書類名】明細書
【補正対象項目名】００９８
【補正方法】変更
【補正の内容】
【００９８】
そして、本サーバ１は、代替購入者が選択された場合は、代替取引の可否を問合せる代替取引問合せ情報と共に、取引の中止によって取引相手である購入者がいなくなってしまった生産者等の生産進捗情報を前記代替購入者の購入者端末に対して送信する（（４４Ａ）参照）。一方、代替生産者が選択された場合は、代替取引の可否を問合せる代替取引問合せ情報と共に、取引の中止によって取引相手である生産者等がいなくなってしまった購入者の取引情報を前記代替生産者等の生産者端末に対して送信する（（４４Ｂ）参照）。
これにより、取引の中止によって取引相手である生産者等又は購入者がいなくなってしまった場合でも、他の取引の中止によって取引相手がいなくなってしまった生産者等又は購入者の中から適応する代替取引者を探し、諦めることなく新たな取引を発生させることが出来る。
【手続補正２１】
【補正対象書類名】明細書
【補正対象項目名】０１２１
【補正方法】変更
【補正の内容】
【０１２１】
上記判定処理によって算出した品質レベル情報を含む生産進捗情報を、商品情報報告部２０ａは、商品情報として本サーバ１ａに送信すると共に、本サーバ１ａの商品情報記憶部ＤＢ９から商品ＩＤを抽出し、当該商品情報ＩＤを、前記取引ＩＤに基づいて本サーバ１ａの取引情報記憶部ＤＢ５より抽出した生産者ＩＤを受け取り、この生産ＩＤによって特定される当該生産者端末３へ報告する処理を行なう。